(57)【要約】【課題】  画像形成装置の消費電力を低減するとともに確実にデータを受信させる。【解決手段】  電源制御装置２００は、電源回路２１１と、ＣＰＵ２０１と、ＬＡＮ２と接続される第１通信回路２０３と、ＭＦＰ１００と接続される第２通信回路２０５と、商用電源とＭＦＰ１００との間に配置される第１スイッチ回路２０７と、を備え、ＣＰＵ２０１は、ＭＦＰ１００の状態を決定するモード決定部と、スリープモードが決定される場合に第１スイッチ回路２０７を開くスリープ切換部と、ＬＡＮ２からＭＦＰ１００宛てのパケットが受信されることに応じて第１スイッチ回路２０７を閉じる起動部と、パケットを一時記憶する一時記憶制御部と、一時記憶されたパケットをＭＦＰ１００に送信するパケット送信部と、第１通信回路２０３に接続されたＬＡＮ２を第２通信回路２０５に接続する接続部と、を備える。【選択図】        図４
2014140116.tif 000002
【特許請求の範囲】
【請求項１】
商用電源と画像形成装置との間に配置される電源制御装置であって、
商用電源から供給される電力を交流から直流に変換する電力変換手段と、
前記電力変換手段から電力が供給される制御手段と、
前記電力変換手段から電力が供給され、ネットワークと接続される第１通信手段と、
前記前記画像形成装置と接続される第２通信手段と、
商用電源と前記画像形成装置との間に配置される装置用電源スイッチと、を備え、
前記制御手段は、
前記第２通信手段を介して前記画像形成装置と通信することによって前記画像形成装置の状態を取得し、通常モードと前記通常モードよりも消費電力が小さい省電力モードのいずれであるかを決定するモード決定手段と、
前記画像形成装置に対して予め割り当てられ、前記ネットワーク上の位置を示す位置情報を取得する位置情報取得手段と、
前記モード決定手段により前記スリープモードが決定される場合に、前記装置用電源スイッチを開くスリープ切換手段と、
前記モード決定手段により前記スリープモードが決定された後、前記第１通信手段によってネットワークから前記画像形成装置の位置情報を含むパケットが受信されることに応じて、前記装置用電源スイッチを閉じる起動手段と、
前記モード決定手段により前記スリープモードが決定された後、前記第１通信手段によってネットワークから受信されるパケットのうち前記画像形成装置の位置情報を含むパケットを一時記憶する一時記憶制御手段と、
前記モード決定手段によって前記通常モードが決定されることに応じて、前記一時記憶されたパケットを前記第２通信手段を介して送信するパケット送信手段と、
前記パケット送信手段による送信が終了した後に、前記第１通信手段に接続されたネットワークを前記第２通信手段に接続する接続手段と、を備えた電源制御装置。
【請求項２】
前記第２通信手段と前記電力変換手段との間に設けられる通信用電源スイッチと、をさらに備え、
前記モード決定部は、前記通信用電源スイッチが閉じている間に前記第２通信手段を介して前記画像形成装置と通信し、
前記スリープ切換手段は、前記モード決定手段により前記スリープモードが決定される場合に、前記装置用電源スイッチに加えて前記通信用電源スイッチを開き、
前記起動手段は、前記モード決定手段により前記スリープモードが決定された後、前記第１通信手段によってネットワークから前記画像形成装置の位置情報を含むパケットが受信されることに応じて、前記装置用電源スイッチに加えて前記通信用電源スイッチを閉じる、請求項１に記載の電源制御装置。
【請求項３】
ユーザーによる操作を受け付ける操作スイッチを、さらに備え、
前記起動手段は、前記操作スイッチが操作されることに応じて、前記装置用電源スイッチおよび前記通信用電源スイッチを閉じ、
前記接続手段は、前記操作スイッチが操作されることに応じて、前記第１通信手段に接続されたネットワークを前記第２通信手段に接続する、請求項２に記載の電源制御装置。
【請求項４】
請求項１〜３のいずれかに記載の電源制御装置と、サブ電源制御装置と、を含む電源制御システムであって、
前記電源制御装置は、前記画像形成装置とは別の画像形成装置と接続される第３通信手段と、
前記サブ電源制御装置に起動信号またはスリープ移行信号を出力する信号出力制御手段と、をさらに備え、
前記サブ電源制御装置は、
商用電源から供給される電力を交流から直流に変換するサブ電力変換手段と、
前記サブ電力変換手段から電力が供給されるサブ制御手段と、
商用電源と前記別の画像形成装置との間に配置されるサブ装置用電源スイッチと、を備え、
前記制御手段が備える前記モード決定手段は、前記第３通信手段を介して前記別の画像形成装置と通信することによって前記別の画像形成装置の状態を取得し、通常モードと前記通常モードよりも消費電力が小さい省電力モードのいずれであるかを決定する遠隔モード決定手段を含み、
前記スリープ切換手段は、前記遠隔モード決定手段により前記別の画像形成装置の状態として前記スリープモードが決定される場合に、前記信号出力制御手段に前記スリープ移行信号を出力させる遠隔スリープ切換手段を含み、
前記起動手段は、前記遠隔モード決定手段により前記別の画像形成装置の状態として前記スリープモードが決定された後、前記第１通信手段によってネットワークから前記別の画像形成装置の位置情報を含むパケットが受信されることが検出されることに応じて、前記信号出力制御手段に前記起動信号を出力させる遠隔起動手段を含み、
前記一時記憶制御手段は、前記遠隔モード決定手段により前記別の画像形成装置の状態として前記スリープモードが決定された後、前記第１通信手段によってネットワークから受信されるパケットのうち前記別の画像形成装置の位置情報を含むパケットを一時記憶する遠隔一時記憶制御手段を含み、
前記パケット送信手段は、前記遠隔モード決定手段によって前記別の画像形成装置の状態として前記通常モードが決定されることに応じて、前記遠隔一時記憶制御手段により一時記憶されたパケットを前記第３通信手段を介して前記別の画像形成装置に送信する遠隔パケット送信手段を含み、
前記接続手段は、前記遠隔パケット送信手段による送信が終了した後に、前記第１通信手段に接続されたネットワークを前記第３通信手段に接続する遠隔接続手段を含み、
前記サブ制御手段は、前記電源制御装置から出力されるスリープ移行信号が検出されることに応じて前記サブ装置用電源スイッチを開き、前記電源制御装置から出力される起動信号が検出されることに応じて前記サブ装置用電源スイッチを閉じる電源切換制御手段を含む、電源制御システム。
【請求項５】
前記電源制御装置は、前記第３通信手段と前記電力変換手段との間に設けられるサブ通信用電源スイッチを、さらに備え、
前記遠隔モード決定手段は、前記サブ通信用電源スイッチが閉じている間に前記第３通信手段を介して前記別の画像形成装置と通信することによって前記別の画像形成装置の状態を取得し、
前記遠隔スリープ切換手段は、前記遠隔モード決定手段により前記別の画像形成装置の状態として前記スリープモードが決定される場合に、前記信号出力制御手段に前記スリープ移行信号を出力させるとともに、前記サブ通信用電源スイッチを開き、
前記遠隔起動手段は、前記遠隔モード決定手段により前記別の画像形成装置の状態として前記スリープモードが決定された後、前記第１通信手段によってネットワークから前記別の画像形成装置の位置情報を含むパケットが受信されることが検出されることに応じて、前記信号出力制御手段に前記起動信号を出力させるとともに、前記サブ通信用電源スイッチを閉じる、請求項４に記載の電源制御システム。
【請求項６】
前記サブ電源制御装置は、前記第３通信手段が備える所定の端子の電圧を検出するサブ電圧検出手段を、さらに備え、
前記信号出力制御手段は、前記第３通信手段が備える所定の端子に印加する電圧を第１の電圧から第２の電圧に変更することによって前記起動信号を出力し、前記第３通信手段が備える所定の端子に印加する電圧を前記第２の電圧から前記第１の電圧に変更することによって前記スリープ移行信号を出力し、
前記サブ制御手段は、前記サブ電圧検出手段によって検出される電圧が第１の電圧から第２の電圧に変化することに応じて前記起動信号を検出する起動信号検出手段と、
前記サブ電圧検出手段によって検出される電圧が第２の電圧から第１の電圧に変化することに応じて前記スリープ移行信号を検出するスリープ移行信号検出手段と、を含む請求項５に記載の電源制御システム。
【請求項７】
前記電源制御装置は、前記サブ電源制御装置から出力される起動状態信号を検出する起動状態信号検出手段を、さらに備え、
前記サブ電源制御装置は、ユーザーによる操作を受け付けるサブ操作スイッチを、さらに備え、
前記サブ制御手段は、前記サブ操作スイッチが操作されることに応じて、前記電源制御装置に起動状態信号を出力するとともに、前記サブ装置用電源スイッチを閉じる操作時起動手段を含み、
前記遠隔接続手段は、前記遠隔モード決定手段によって前記別の画像形成装置の状態として前記スリープモードが決定された後、前記起動状態信号検出手段により前記起動状態信号が検出されることに応じて、前記第１通信手段に接続されたネットワークを前記第３通信手段に接続する、請求項６に記載の電源制御システム。
【請求項８】
前記電源制御装置は、前記第３通信手段と前記サブ通信用電源スイッチとの間に設けられ、前記第３通信手段が備える前記所定の端子の電圧を検出する電圧検出手段を、さらに備え、
前記操作時起動手段は、前記第３通信手段が備える所定の端子に印加する電圧を第１の電圧から第２の電圧に変更することによって前記起動状態信号を出力し、
前記起動状態信号検出手段は、前記電圧検出手段によって検出される電圧が第２の電圧から第１の電圧に変化することに応じて前記起動状態信号を検出する、請求項７に記載の電源制御システム。
【発明の詳細な説明】
【技術分野】
【０００１】
この発明は電源制御装置および電源制御システムに関し、特に、商用電源で駆動する電子機器に接続される電源制御装置および複数の電子機器にそれぞれ接続される複数の電源制御装置を含む電源制御システムに関する。
【背景技術】
【０００２】
複合機（以下「ＭＦＰ）という）などの電子機器は、動作しない待機状態において、電子機器で消費される電力を低減することが要求されている。ＭＦＰは、商用電源から電力が供給されて駆動するものが多い。このため、近年のＭＦＰは、待機状態において消費電力を低減させる機能を有したものが存在する。
【０００３】
一方、ＭＦＰは、外部の装置と通信するための通信回路を備えており、外部からデータを受信するために通信回路を起動しておく必要があり、待機状態であっても通信回路で電力が消費されてしまう。
【０００４】
この問題を解決するための技術として、たとえば、特開２０１０−１９９７６５号公報には、インテリジェントハブを介してホスト機器とクライアント機器がＬＡＮで接続されたデータ転送システムであって、上記ホスト機器から出力されるデータを保持する保持手段と、この保持手段に上記ホスト機器からのデータが保持されると、電源の投入を確認する確認信号を上記クライアント機器に出力する第１の出力手段と、上記ホスト機器にクライアント機器の代理応答信号を出力する第２の出力手段と、上記クライアント機器から電源が投入されていることを示す応答信号が入力すると、上記保持手段に保持された上記データをクライアント機器に出力する制御手段とを有することを特徴とするデータ転送システムが記載されている。
【０００５】
しかしながら、既存のＭＦＰのうちには、待機状態において消費電力を低減させる機能を有しないものが存在する場合があり、この種のＭＦＰにおいては従来のデータ転送システムを適用することができない。
【特許文献１】特開２０１０−１９９７６５号公報
【発明の概要】
【発明が解決しようとする課題】
【０００６】
この発明は上述した問題点を解決するためになされたもので、この発明の目的の１つは、画像形成装置の消費電力を低減するとともに画像形成装置に確実にデータを受信させることが可能な電源切換装置を提供することである。
【０００７】
この発明の他の目的は、複数の画像形成装置それぞれの消費電力を低減するとともに複数の画像形成装置それぞれに確実にデータを受信させることが可能な電源切換システムを提供することである。
【課題を解決するための手段】
【０００８】
上述した目的を達成するためにこの発明のある局面によれば、電源制御装置は、商用電源と画像形成装置との間に配置される電源制御装置であって、商用電源から供給される電力を交流から直流に変換する電力変換手段と、電力変換手段から電力が供給される制御手段と、電力変換手段から電力が供給され、ネットワークと接続される第１通信手段と、画像形成装置と接続される第２通信手段と、商用電源と画像形成装置との間に配置される装置用電源スイッチと、を備え、制御手段は、第２通信手段を介して画像形成装置と通信することによって画像形成装置の状態を取得し、通常モードと通常モードよりも消費電力が小さい省電力モードのいずれであるかを決定するモード決定手段と、画像形成装置に対して予め割り当てられ、ネットワーク上の位置を示す位置情報を取得する位置情報取得手段と、モード決定手段によりスリープモードが決定される場合に、装置用電源スイッチを開くスリープ切換手段と、モード決定手段によりスリープモードが決定された後、第１通信手段によってネットワークから画像形成装置の位置情報を含むパケットが受信されることに応じて、装置用電源スイッチを閉じる起動手段と、モード決定手段によりスリープモードが決定された後、第１通信手段によってネットワークから受信されるパケットのうち画像形成装置の位置情報を含むパケットを一時記憶する一時記憶制御手段と、モード決定手段によって通常モードが決定されることに応じて、一時記憶されたパケットを第２通信手段を介して送信するパケット送信手段と、パケット送信手段による送信が終了した後に、第１通信手段に接続されたネットワークを第２通信手段に接続する接続手段と、を備える。
【０００９】
この局面に従えば、画像形成装置の動作モードがスリープモードに決定される場合に、装置用電源スイッチを開くので、画像形成装置の消費電力を低減することができる。また、スリープモードが決定された後、ネットワークから画像形成装置の位置情報を含むパケットが受信されることに応じて、装置用電源スイッチを閉じるので、画像形成装置を駆動することができる。さらに、ネットワークから受信されるパケットのうち画像形成装置の位置情報を含むパケットを一時記憶し、通常モードが決定されることに応じて、一時記憶されたパケットを送信し、送信が終了した後に、ネットワークを第２通信手段に接続する。このため、画像形成装置に送信されるパケットを画像形成装置によって確実に受信させることができる。その結果、画像形成装置の消費電力を低減するとともに画像形成装置に確実にデータを受信させることが可能な電源切換装置を提供することができる。
【００１０】
好ましくは、第２通信手段と電力変換手段との間に設けられる通信用電源スイッチと、をさらに備え、モード決定部は、通信用電源スイッチが閉じている間に第２通信手段を介して画像形成装置と通信し、スリープ切換手段は、モード決定手段によりスリープモードが決定される場合に、装置用電源スイッチに加えて通信用電源スイッチを開き、起動手段は、モード決定手段によりスリープモードが決定された後、第１通信手段によってネットワークから画像形成装置の位置情報を含むパケットが受信されることに応じて、装置用電源スイッチに加えて通信用電源スイッチを閉じる。
【００１１】
この局面に従えば、画像形成装置のスリープモードが決定される場合に、通信用電源スイッチを開き、スリープモードが決定された後、ネットワークから画像形成装置の位置情報を含むパケットが受信されることに応じて、通信用電源スイッチを閉じる。このため、画像形成装置と通信するために消費される電力を低減することができる。
【００１２】
好ましくは、ユーザーによる操作を受け付ける操作スイッチを、さらに備え、起動手段は、操作スイッチが操作されることに応じて、装置用電源スイッチおよび通信用電源スイッチを閉じ、接続手段は、操作スイッチが操作されることに応じて、第１通信手段に接続されたネットワークを第２通信手段に接続する。
【００１３】
この局面に従えば、ユーザーによる操作が受け付けられると、装置用電源スイッチおよび通信用電源スイッチを閉じるとともに、ネットワークが第２通信手段に接続されるので、ユーザーの操作によって画像形成装置を通信可能な状態にすることができる。
【００１４】
この発明の他の局面によれば、上記のいずれかに記載の電源制御装置と、サブ電源制御装置と、を含む電源制御システムであって、電源制御装置は、画像形成装置とは別の画像形成装置と接続される第３通信手段と、サブ電源制御装置に起動信号またはスリープ移行信号を出力する信号出力制御手段と、をさらに備え、サブ電源制御装置は、商用電源から供給される電力を交流から直流に変換するサブ電力変換手段と、サブ電力変換手段から電力が供給されるサブ制御手段と、商用電源と別の画像形成装置との間に配置されるサブ装置用電源スイッチと、を備え、制御手段が備えるモード決定手段は、第３通信手段を介して別の画像形成装置と通信することによって別の画像形成装置の状態を取得し、通常モードと通常モードよりも消費電力が小さい省電力モードのいずれであるかを決定する遠隔モード決定手段を含み、スリープ切換手段は、遠隔モード決定手段により別の画像形成装置の状態としてスリープモードが決定される場合に、信号出力制御手段にスリープ移行信号を出力させる遠隔スリープ切換手段を含み、起動手段は、遠隔モード決定手段により別の画像形成装置の状態としてスリープモードが決定された後、第１通信手段によってネットワークから別の画像形成装置の位置情報を含むパケットが受信されることが検出されることに応じて、信号出力制御手段に起動信号を出力させる遠隔起動手段を含み、一時記憶制御手段は、遠隔モード決定手段により別の画像形成装置の状態としてスリープモードが決定された後、第１通信手段によってネットワークから受信されるパケットのうち別の画像形成装置の位置情報を含むパケットを一時記憶する遠隔一時記憶制御手段を含み、パケット送信手段は、遠隔モード決定手段によって別の画像形成装置の状態として通常モードが決定されることに応じて、遠隔一時記憶制御手段により一時記憶されたパケットを第３通信手段を介して別の画像形成装置に送信する遠隔パケット送信手段を含み、接続手段は、遠隔パケット送信手段による送信が終了した後に、第１通信手段に接続されたネットワークを第３通信手段に接続する遠隔接続手段を含み、サブ制御手段は、電源制御装置から出力されるスリープ移行信号が検出されることに応じてサブ装置用電源スイッチを開き、電源制御装置から出力される起動信号が検出されることに応じてサブ装置用電源スイッチを閉じる電源切換制御手段を含む。
【００１５】
この局面に従えば、画像形成装置とは別の画像形成装置の動作モードがスリープモードに決定される場合に、サブ電源制御装置にスリープ移行信号が出力され、サブ電源制御装置は、スリープ移行信号が検出されることに応じてサブ装置用電源スイッチを開くので、別の画像形成装置の消費電力を低減することができる。また、別の画像形成装置の動作モードがスリープモードに決定された後、ネットワークから別の画像形成装置の位置情報を含むパケットが受信されることに応じて、サブ電源制御装置に起動信号が出力され、サブ電源制御装置は、起動信号が検出されることに応じてサブ装置用電源スイッチを閉じるので、別の画像形成装置を起動することができる。さらに、別の画像形成装置の動作モードがスリープモードに決定された後、ネットワークから受信されるパケットのうち別の画像形成装置の位置情報を含むパケットを一時記憶し、通常モードが決定されることに応じて、一時記憶されたパケットを送信し、送信が終了した後に、ネットワークを第３通信手段に接続する。このため、別の画像形成装置に送信されるパケットを別の画像形成装置によって確実に受信させることができる。その結果、複数の画像形成装置それぞれの消費電力を低減するとともに複数の画像形成装置それぞれに確実にデータを受信させることが可能な電源切換システムを提供することができる。
【００１６】
好ましくは、電源制御装置は、第３通信手段と電力変換手段との間に設けられるサブ通信用電源スイッチを、さらに備え、遠隔モード決定手段は、サブ通信用電源スイッチが閉じている間に第３通信手段を介して別の画像形成装置と通信することによって別の画像形成装置の状態を取得し、遠隔スリープ切換手段は、遠隔モード決定手段により別の画像形成装置の状態としてスリープモードが決定される場合に、信号出力制御手段にスリープ移行信号を出力させるとともに、サブ通信用電源スイッチを開き、遠隔起動手段は、遠隔モード決定手段により別の画像形成装置の状態としてスリープモードが決定された後、第１通信手段によってネットワークから別の画像形成装置の位置情報を含むパケットが受信されることに応じて、信号出力制御手段に起動信号を出力させるとともに、サブ通信用電源スイッチを閉じる。
【００１７】
この局面に従えば、別の画像形成装置の状態としてスリープモードが決定される場合に、サブ通信用電源スイッチを開き、別の画像形成装置の状態としてスリープモードが決定された後、ネットワークから別の画像形成装置の位置情報を含むパケットが受信されることに応じて、サブ通信用電源スイッチを閉じる。このため、別の画像形成装置と通信するために消費される電力を低減することができる。
【００１８】
好ましくは、サブ電源制御装置は、第３通信手段が備える所定の端子の電圧を検出するサブ電圧検出手段を、さらに備え、信号出力制御手段は、第３通信手段が備える所定の端子に印加する電圧を第１の電圧から第２の電圧に変更することによって起動信号を出力し、第３通信手段が備える所定の端子に印加する電圧を第２の電圧から第１の電圧に変更することによってスリープ移行信号を出力し、サブ制御手段は、サブ電圧検出手段によって検出される電圧が第１の電圧から第２の電圧に変化することに応じて起動信号を検出する起動信号検出手段と、サブ電圧検出手段によって検出される電圧が第２の電圧から第１の電圧に変化することに応じてスリープ移行信号を検出するスリープ移行信号検出手段と、を含む。
【００１９】
この局面に従えば、サブ電源制御装置において、別の画像形成装置と接続される所定の端子の電圧が検出され、検出された電圧が第１の電圧から第２の電圧に変化することに応じて起動信号を検出し、検出される電圧が第２の電圧から第１の電圧に変化することに応じてスリープ移行信号を検出する。このため、電源制御装置と別の画像形成装置とを接続する通信ケーブルを用いて、電源制御装置とサブ電源制御装置との間で信号を送受信することができる。その結果、電源制御装置とサブ電源制御装置とを接続する配線を少なくすることができる。
【００２０】
好ましくは、電源制御装置は、サブ電源制御装置から出力される起動状態信号を検出する起動状態信号検出手段を、さらに備え、サブ電源制御装置は、ユーザーによる操作を受け付けるサブ操作スイッチを、さらに備え、サブ制御手段は、サブ操作スイッチが操作されることに応じて、電源制御装置に起動状態信号を出力するとともに、サブ装置用電源スイッチを閉じる操作時起動手段を含み、遠隔接続手段は、遠隔モード決定手段によって別の画像形成装置の状態としてスリープモードが決定された後、起動状態信号検出手段により起動状態信号が検出されることに応じて、第１通信手段に接続されたネットワークを第３通信手段に接続する。
【００２１】
この局面に従えば、サブ電源制御装置は、ユーザーによる操作が受け付けられると、電源制御装置に起動状態信号を出力するとともに、サブ装置用電源スイッチを閉じるので、別の画像形成装置が起動する。また、電源制御装置は、サブ電源制御装置から出力される起動状態信号を検出すると、ネットワークを別の画像形成装置に接続する。このため、サブ電源制御装置に入力されるユーザーの操作によって別の画像形成装置を通信可能な状態にすることができる。
【００２２】
好ましくは、電源制御装置は、第３通信手段とサブ通信用電源スイッチとの間に設けられ、第３通信手段が備える所定の端子の電圧を検出する電圧検出手段を、さらに備え、操作時起動手段は、第３通信手段が備える所定の端子に印加する電圧を第１の電圧から第２の電圧に変更することによって起動状態信号を出力し、起動状態信号検出手段は、電圧検出手段によって検出される電圧が第１の電圧から第２の電圧に変化することに応じて起動状態信号を検出する。
【００２３】
この局面に従えば、サブ電源制御装置において、別の画像形成装置と接続される所定の端子の電圧を変化させることにより起動状態信号が出力され、電源制御装置において、別の画像形成装置と接続される所定の端子の電圧の変化を検出することによって起動状態信号が検出される。このため、電源制御装置と別の画像形成装置とを接続する通信ケーブルを用いて、電源制御装置とサブ電源制御装置との間で信号を送受信することができる。その結果、電源制御装置とサブ電源制御装置とを接続する配線を少なくすることができる。
【図面の簡単な説明】
【００２４】
【図１】第１の実施の形態における電源制御システムの全体概要の一例を示す図である。
【図２】ＭＦＰの外観を示す斜視図である。
【図３】ＭＦＰのハードウェア構成の概要を示すブロック図である。
【図４】電源制御装置のハードウェア構成の概要を示すブロック図である。
【図５】電源制御装置が備えるＣＰＵの機能の概要を示すブロック図である。
【図６】電源切換制御処理の流れの一例を示すフローチャートである。
【図７】第２の実施の形態における電源制御システムの全体概要の一例を示す図である。
【図８】第２の実施の形態における電源制御装置のハードウェア構成の概要を示すブロック図である。
【図９】第２の実施の形態におけるサブ電源制御装置のハードウェア構成の概要を示すブロック図である。
【図１０】第２の実施の形態における電源制御装置が備えるＣＰＵの機能の概要を示すブロック図である。
【図１１】第２の実施の形態におけるサブ電源制御装置が備えるサブＣＰＵの機能の概要を示すブロック図である。
【図１２】サブ操作ボタン、ＰｏＥ端子の入出力電圧およびサブ装置用スイッチ回路の開閉状態の時間的な流れの一例を示す図である。
【図１３】サブ電源制御処理の流れの一例を示すフローチャートである。
【図１４】サブ装置用電源切換制御処理の流れの一例を示すフローチャートである。
【発明を実施するための形態】
【００２５】
以下、本発明の実施の形態について図面を参照して説明する。以下の説明では同一の部品には同一の符号を付してある。それらの名称および機能も同じである。したがってそれらについての詳細な説明は繰り返さない。
【００２６】
＜第１の実施の形態＞
図１は、第１の実施の形態における電源制御システムの全体概要の一例を示す図である。図１を参照して、電源制御システム１は、ＭＦＰ（Ｍｕｌｔｉ  Ｆｕｎｃｔｉｏｎ  Ｐｅｒｉｐｈｅｒａｌ）１００と、電源制御装置２００と、を含む。
【００２７】
ＭＦＰ１００，１００Ａ，１００Ｂは、ハードウェア構成および機能は同じである。したがって、特に言及しない場合、ＭＦＰ１００を例に説明する。また、ＭＦＰ１００Ａに言及する場合、ＭＦＰ１００と同じ部品および機能については、ＭＦＰ１００に付した符号に文字「Ａ」を添えた符号とし、ＭＦＰ１００Ｂに言及する場合、ＭＦＰ１００と同じ部品および機能については、ＭＦＰ１００に付した符号に文字「Ｂ」を添えた符号とする。
【００２８】
ＭＦＰ１００は、商用電源から供給される電力によって駆動する電子機器の一例である。ＭＦＰ１００は、画像形成装置として機能し、原稿を読み取るための原稿読取機能、画像データに基づいて紙などの記録媒体に画像を形成するための画像形成機能およびファクシミリデータを送受信するファクシミリ送受信機能ファクシミリ送受信機能を備えている。なお、本実施の形態においては電子機器の一例としてＭＦＰ１００を例に説明するが、ＭＦＰ１００に代えて、データを送信する機能を備えた装置であれば、例えば、プリンタ、ファクシミリ装置、ＰＣ等であってもよい。
【００２９】
電源制御装置２００は、商用電源とＭＦＰ１００との間に接続され、商用電源から供給される電力をＭＦＰ１００に供給する状態と、ＭＦＰ１００に供給しない状態とを切り換える。電源制御装置２００は、さらに、ＬＡＮ２とＭＦＰ１００との間に接続され、ＭＦＰ１００をローカルエリアネットワーク（ＬＡＮ）２に接続した状態と、ＭＦＰ１００をＬＡＮ２と切断した状態とを切り換える。ＬＡＮ２の接続形態は有線または無線を問わない。またＬＡＮ２は、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたＬＡＮ等であってもよい。さらに、ＬＡＮ２は、ゲートウェイ（Ｇ／Ｗ）を介してインターネットに接続されていてもよい。
【００３０】
ＭＦＰ１００は、電源制御装置２００が、ＭＦＰ１００をＬＡＮ２に接続した状態において、ＬＡＮ２に接続された他のコンピューター、または、ＬＡＮ２を介してインターネットに接続されたコンピューターとデータの送受信が可能である。
【００３１】
図２は、ＭＦＰの外観を示す斜視図である。図３は、ＭＦＰのハードウェア構成の概要を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０と、電源回路１７０と、を含む。
【００３２】
電源回路１７０は、電源プラグ１７１を介して商用電源と接続され、商用電源から供給される電力を、メイン回路１１０、自動原稿搬送装置１２０、原稿読取部１３０、画像形成部１４０、給紙部１５０、後処理部１５５、および操作パネル１６０に供給する。
【００３３】
後処理部１５５は、画像形成部１４０により画像が形成された１以上の用紙を並び替えて排紙するソート処理、パンチ穴加工するパンチ処理、ステープル針を打ち込むステープル処理を実行する。
【００３４】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ１１８が装着される外部記憶装置１１７と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００３５】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００３６】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーを備え、キーに対応するユーザーの操作による各種の指示、文字、数字などのデータの入力を受け付ける。操作部１６３は、表示部１６１上に設けられたタッチパネルをさらに含む。
【００３７】
通信Ｉ／Ｆ部１１２は、ＭＦＰ１００をＬＡＮ２に接続するためのインターフェースである。ＣＰＵ１１１は、通信Ｉ／Ｆ部１１２を介してＬＡＮ２に接続された他のコンピューター、または、ＬＡＮ２を介してインターネットに接続されたコンピューターとの間で通信し、データを送受信する。
【００３８】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００３９】
外部記憶装置１１７は、ＣＤ−ＲＯＭ（Ｃｏｍｐａｃｔ  Ｄｉｓｋ  ＲＯＭ）１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００４０】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ＬＡＮ２に接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ＬＡＮ２に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４１】
図４は、電源制御装置のハードウェア構成の概要を示すブロック図である。図４を参照して、電源制御装置２００は、電源制御装置２００の全体を制御する中央演算装置（ＣＰＵ）２０１と、ＬＡＮ２を構成する通信ケーブルと接続される第１通信回路２０３と、ＭＦＰ１００と接続された通信ケーブルと接続される第２通信回路２０５と、ＭＦＰ１００の電源プラグ１７１と接続される電力出力端子２１５と、商用電源のソケットと接続される電源プラグ２１７と、電源プラグ２１７と接続される電源回路２１１と、電源プラグ２１７と電力出力端子２１５との間に設けられた第１スイッチ回路２０７と、電源回路２１１と第２通信回路２０５との間に設けられた第２スイッチ回路２０９と、操作ボタン２１３と、を含む。
【００４２】
電源回路２１１は、電源プラグ２１７と接続される。電源プラグ２１７は、商用電源に接続される。電源回路２１１は、電源プラグ２１７が商用電源に接続される場合に、商用電源から電力が供給される。商用電源から供給される電力は交流である。電源回路２１１は、交流を直流に変換する変換器である。電源回路２１１は、商用電源から供給される交流の電力を変換した直流の電力を、ＣＰＵ２０１、第１通信回路２０３、第１スイッチ回路２０７、第２スイッチ回路２０９および第２通信回路２０５に供給する。
【００４３】
ＣＰＵ２０１は、電源回路２１１から供給される電力で駆動し、電源制御装置２００の全体を制御する。ＣＰＵ２０１の機能の詳細は後述するが、第１スイッチ回路２０７を制御してＭＦＰ１００の電源を切り換える制御をするとともに、第２スイッチ回路２０９、第１通信回路２０３および第２通信回路２０５を制御してＭＦＰ１００の通信を中継する。
【００４４】
第１スイッチ回路２０７は、電源プラグ２１７と電力出力端子２１５との間に設けられる。電力出力端子２１５は、ＭＦＰ１００の電源プラグ１７１が接続される。第１スイッチ回路２０７は、電源回路２１１から供給される電力で駆動し、ＣＰＵ２０１により制御されて電源プラグ２１７と電力出力端子２１５とを接続する回路を開閉する。第１スイッチ回路２０７が回路を閉じた状態では、電源プラグ２１７と電力出力端子２１５とを電気的に接続した状態となり、第１スイッチ回路２０７が回路を開いた状態では、電源プラグ２１７と電力出力端子２１５とが電気的に接続されていない状態となる。このため、電源プラグ２１７が商用電源に接続され、かつ、電力出力端子２１５がＭＦＰ１００の電源プラグ１７１と接続される場合、第１スイッチ回路２０７が回路を閉じた状態では、ＭＦＰ１００に商用電源から電力が供給され、第１スイッチ回路２０７が回路を開いた状態では、ＭＦＰ１００に商用電源から電力が供給されない。
【００４５】
第１通信回路２０３は、電源回路２１１から供給される電力で駆動し、ＬＡＮ２を構成する通信ケーブルと接続される。第１通信回路２０３は、ＬＡＮ２を流れるパケットを受信し、受信されたパケットをＣＰＵ２０１に出力する。また、第１通信回路２０３は、ＣＰＵ２０１から出力されるパケットを、ＬＡＮ２に送出する。
【００４６】
第２スイッチ回路２０９は、電源回路２１１と第２通信回路２０５との間に設けられる。第２スイッチ回路２０９は、電源回路２１１から供給される電力で駆動し、ＣＰＵ２０１により制御されて電源回路２１１と第２通信回路２０５とを接続する回路を開閉する。第２スイッチ回路２０９が回路を閉じた状態では、電源回路２１１と第２通信回路２０５とを電気的に接続した状態となり、第２スイッチ回路２０９が回路を開いた状態では、電源回路２１１と第２通信回路２０５とが電気的に接続されていない状態となる。このため、電源プラグ２１７が商用電源に接続される場合、第２スイッチ回路２０９が回路を閉じた状態では、第２通信回路２０５に電源回路２１１から電力が供給され、第２スイッチ回路２０９が回路を開いた状態では、第２通信回路２０５に電源回路２１１から電力が供給されない。
【００４７】
第２通信回路２０５は、第２スイッチ回路２０９が回路を閉じている間に電源回路２１１から供給される電力で駆動する。第２通信回路２０５は、ＭＦＰ１００に接続される通信ケーブルと接続される。第２通信回路２０５は、ＭＦＰ１００から送出されるパケットを受信し、受信されたパケットをＣＰＵ２０１に出力する。また、第２通信回路２０５は、ＣＰＵ２０１から出力されるパケットを、ＭＦＰ１００に送信する。
【００４８】
操作ボタン２１３は、ユーザーにより操作されるボタンスイッチである。操作ボタン２１３は、ユーザーによって押下されていない間はＣＰＵ２０１にＯＦＦ信号を出力し、ユーザーによって押下されるとＯＮ信号をＣＰＵ２０１に出力する。
【００４９】
電源回路２１１は、第１スイッチ回路２０７および第２スイッチ回路２０９が開いている間は、ＣＰＵ２０１、第１通信回路２０３、第１スイッチ回路２０７および第２スイッチ回路２０９に電力を供給する。第１スイッチ回路２０７および第２スイッチ回路２０９が開いている間に、電源制御装置２００により消費される電力は、ＣＰＵ２０１、第１通信回路２０３、第１スイッチ回路２０７および第２スイッチ回路２０９それぞれで消費される電力の合計であり、この合計の消費電力は、予め定められた電力以下となる。予め定められた電力は、たとえば、０．５Ｗである。
【００５０】
以下の説明では、電源プラグ２１７が商用電源に接続され、電力出力端子２１５がＭＦＰ１００の電源プラグ１７１と接続され、第１通信回路２０３がＬＡＮ２を構成する通信ケーブルと接続され、第２通信回路２０５がＭＦＰ１００の通信Ｉ／Ｆ１１２に接続される通信ケーブルと接続される場合を例に説明する。
【００５１】
電源プラグ２１７が商用電源に接続されるため、電源回路２１１からＣＰＵ２０１、第１通信回路２０３、第１スイッチ回路２０７および第２スイッチ回路２０９には、常に直流の電力が供給される。
【００５２】
図５は、電源制御装置が備えるＣＰＵの機能の概要を示すブロック図である。図５に示すＣＰＵ２０１の機能は、ＣＰＵ２０１が、ＣＰＵ２０１が備えるＲＯＭに記憶された電源制御プログラムを実行することによって、ＣＰＵ２０１に形成される。図５を参照して、ＣＰＵ２０１は、ＭＦＰ１００の動作モードを決定するモード決定部２５１と、スリープ切換部２５３と、起動部２５５と、操作ボタン２１３のユーザーによる押下を検出する操作受付部２５７と、ＬＡＮにおいてＭＦＰ１００に割り当てられた位置情報を取得する位置情報取得部２５９と、第１通信回路２０３によってＬＡＮ２から受信されるパケットを一時記憶する一時記憶制御部２６１と、第２通信回路２０５を制御して一時記憶されたパケットを送信させるパケット送信部２６３と、第１通信回路２０３と第２通信回路２０５とを接続する接続部２６５と、を含む。
【００５３】
ここでは、説明のために第１スイッチ回路２０７および第２スイッチ回路２０９それぞれが回路を閉じた状態を起点にしてＣＰＵ２０１の機能を説明する。ＣＰＵ２０１は、第１スイッチ回路２０７および第２スイッチ回路２０９それぞれを制御して回路を開閉させる。
【００５４】
第１スイッチ回路２０７が閉じた状態では、ＭＦＰ１００に商用電源から供給される電力が入力されるので、ＭＦＰ１００は商用電源から供給される電力で駆動する。また、第２スイッチ回路２０９が閉じた状態では、第２通信回路２０５が駆動するので、ＣＰＵ２０１は、ＭＦＰ１００と通信可能である。
【００５５】
モード決定部２５１は、第２通信回路２０５を介してＭＦＰ１００と通信し、ＭＦＰ１００の動作モードを決定する。したがって、モード決定部２５１は、第２通信回路２０５が電力の供給を受けて駆動している間に、動作モードを決定する。ＭＦＰ１００の動作モードは、通常モードと、通常モードよりも消費電力の少ない省電力モードとを含む。なお、モード決定部２５１が動作モードを省電力モードに切り換えた後は、第２通信回路２０５に電力が供給されなくなるので、モード決定部２５１は、後述する起動部２５５から起動完了信号が入力された後に、第２通信回路２０５を介してＭＦＰ１００と通信し、ＭＦＰ１００の動作モードを決定する。
【００５６】
ＭＦＰ１００が動作モードを切り換え可能な場合には、モード決定部２５１は、ＭＦＰ１００から動作モードを取得する。また、ＭＦＰ１００が動作モードを切り換え不可能な場合には、モード決定部２５１は、ＭＦＰ１００の動作を監視し、動作モードを決定する。たとえば、モード決定部２５１は、第２通信回路２０５を介してＭＦＰ１００に動作状態を問い合わせ、ＭＦＰ１００が返信する動作状態を受信することによってＭＦＰの動作状態を取得する。ＭＦＰ１００が画像形成処理、コピー処理、スキャン処理、ファクシミリ送受信処理およびデータ送受信処理のいずれかを実行している間、またはＭＦＰ１００がユーザーによって操作されている間は、動作モードを通常モードに決定する。また、画像形成処理、コピー処理、スキャン処理、ファクシミリ送受信処理およびデータ送受信処理のいずれも実行しない状態、またはＭＦＰ１００がユーザーにより操作されていない状態が継続して所定時間経過すると、動作モードを省電力モードに決定する。さらに、モード決定部２５１は、動作モードを省電力モードに切り換えた後は、起動部２５５から起動完了信号が入力された後に、第２通信回路２０５を介してＭＦＰ１００に動作状態を問い合わせ、ＭＦＰ１００が返信する動作状態を受信した時点で、通常モードに決定する。具体的には、ＭＦＰ１００に電力が供給された後に、ＭＦＰ１００が起動し、データ通信処理を実行可能になった時点で、通常モードに決定する。
【００５７】
モード決定部２５１は、ＭＦＰ１００の動作モードとして省電力モードを決定する場合、ＭＦＰ１００の動作モードが通常モードから省電力モードに切り換わった時点で、スリープ切換部２５３にスリープ切換指示を出力する。また、モード決定部２５１は、動作モードを一時記憶制御部２６１およびパケット送信部２６３に出力する。換言すれば、モード決定部２５１は、通常モードに決定している間は、通常モードであることを一時記憶制御部２６１およびパケット送信部２６３に出力し、省電力モードに決定している間は、省電力モードであることを一時記憶制御部２６１およびパケット送信部２６３に出力する。
【００５８】
位置情報取得部２５９は、ＬＡＮ２においてＭＦＰ１００に対して予め割り当てられた位置情報を取得する。位置情報は、ネットワークアドレスであり、たとえば、ＩＰ（Ｉｎｔｅｒｎｅｔ  Ｐｒｏｔｐｃｏｌ）アドレス、または、ＭＡＣ（Ｍｅｄｉａ  Ａｃｃｅｓｓ  Ｃｏｎｔｒｏｌ）アドレスである。位置情報取得部２５９は、第２通信回路２０５を介してＭＦＰ１００と通信し、ＭＦＰ１００から位置情報を取得し、ＣＰＵ２０１が備えるＲＡＭに記憶する。また、第１通信回路２０３を介してＬＡＮ２に接続されたコンピューターによって電源制御装置２００が遠隔操作される場合には、そのコンピューターからＭＦＰ１００の位置情報が設定されるようにしてもよい。さらに、電源制御装置２００がキーボード等のユーザーインターフェースを備える場合には、ユーザーがキーボードからＭＦＰ１００の位置情報を入力するようにしてもよい。位置情報取得部２５９は、ＭＦＰ１００の位置情報を一時記憶制御部２６１に出力する。
【００５９】
一時記憶制御部２６１は、モード決定部２５１からＭＦＰ１００の動作モードが入力され、位置情報取得部２５９からＭＦＰ１００の位置情報が入力される。一時記憶制御部２６１は、モード決定部２５１から入力される動作モードが省電力モードを示す状態で、第１通信回路２０３がＬＡＮ２から受信するＭＦＰ１００宛てのパケットをＣＰＵ２０１が備えるＲＡＭに一時記憶する。具体的には、一時記憶制御部２６１は、第１通信回路２０３がＬＡＮ２から受信するパケットを監視し、受信されたパケットが、位置情報取得部２５９から入力されるＭＦＰ１００の位置情報を含む場合に、受信されたパケットをＭＦＰ１００宛てのパケットと判断する。一時記憶制御部２６１は、モード決定部２５１から入力される動作モードが省電力モードを示す状態で、第１通信回路２０３がＬＡＮ２からＭＦＰ１００宛てのパケットを受信することに応じて、起動部２５５に起動指示を出力するとともに、パケット送信部２６３に送信指示を出力する。
【００６０】
パケット送信部２６３は、一時記憶制御部２６１から送信指示が入力された後に、モード決定部２５１から入力される動作モードが通常モードに切り換わることに応じて、一時記憶制御部２６１によりＲＡＭに記憶されたパケットを第２通信回路２０５を介してＭＦＰ１００に送信する。パケット送信部２６３は、一時記憶制御部２６１によりＲＡＭに記憶されたパケットのすべての送信が完了することに応じて、接続部２６５に接続指示を出力する。
【００６１】
接続部２６５は、パケット送信部２６３から接続指示が入力されることに応じて、第１通信回路２０３と第２通信回路２０５とを接続する。これにより、ＭＦＰ１００がＬＡＮ２に接続される。また、接続部２６５は、後述する操作受付部２５７から接続指示が入力されることに応じて、第１通信回路２０３と第２通信回路２０５とを接続する。
【００６２】
スリープ切換部２５３は、モード決定部２５１からスリープ切換指示が入力されることに応じて、第１スイッチ回路２０７を制御して回路を開かせるとともに、第２スイッチ回路２０９を制御して回路を開かせる。第１スイッチ回路２０７が開くことにより、電源プラグ２１７と電力出力端子２１５とを接続する回路が開くので、ＭＦＰ１００に供給される電力が遮断され、ＭＦＰ１００で電力が消費されなくなる。また、第２スイッチ回路２０９が開くことにより、電源回路２１１と第２通信回路２０５とを接続する回路が開くので、第２通信回路２０５が駆動しなくなり、消費電力が低減する。
【００６３】
操作受付部２５７は、操作ボタン２１３がユーザーにより押下されると、起動部２５５に起動指示を出力するとともに、接続部２６５に接続指示を出力する。
【００６４】
起動部２５５は、起動指示が入力されることに応じて、第１スイッチ回路２０７を制御して回路を閉じさせるとともに、第２スイッチ回路２０９を制御して回路を閉じさせる。また、起動部２５５は、第１スイッチ回路２０７および第２スイッチ回路２０９を閉じさせた後に、起動完了信号をモード決定部２５１に出力する。起動指示は、一時記憶制御部２６１から入力される場合と、操作受付部２５７から入力される場合とがある。第１スイッチ回路２０７が閉じることにより、電源プラグ２１７と電力出力端子２１５とを接続する回路が閉じるので、ＭＦＰ１００に電力が供給され、ＭＦＰ１００が起動する。また、第２スイッチ回路２０９が閉じることにより、電源回路２１１と第２通信回路２０５とを接続する回路が閉じるので、第２通信回路２０５が駆動し、ＣＰＵ２０１がＭＦＰ１００と通信可能になる。ただし、ＭＦＰ１００に電力が供給されてＭＦＰ１００が起動してからＭＦＰ１００が通信可能になるまでは、ＣＰＵ２０１は通信することができない。このため、上述したように、モード決定部２５１は、第２通信回路２０５を介してＭＦＰ１００に動作状態を問い合わせ、ＭＦＰ１００が返信する動作状態を受信した時点で、ＭＦＰ１００が通信可能な状態と判断し、通常モードに決定する。
【００６５】
図６は、電源切換制御処理の流れの一例を示すフローチャートである。電源切換制御処理は、電源制御装置２００が備えるＣＰＵ２０１が、ＣＰＵ２０１が備えるＲＯＭに記憶されたが電源制御プログラムを実行することによって、ＣＰＵ２０１により実行される処理である。図６を参照して、ＣＰＵ２０１は、ＭＦＰ１００の位置情報を取得する（ステップＳ０１）。第２通信回路２０５を介してＭＦＰ１００と通信し、ＭＦＰ１００から位置情報を取得する。また、ユーザーが、遠隔操作または電源制御装置２００が備えるユーザーインターフェースからＭＦＰ１００の位置情報を入力するようにしてもよい。
【００６６】
次のステップＳ０２においては、ＭＦＰ１００の動作モードがスリープモードか否かを判断する。第２通信回路２０５を介してＭＦＰ１００と通信し、ＭＦＰ１００から動作状態を取得することによってＭＦＰ１００の動作状態を監視する。ＭＦＰ１００が処理を実行することなく、または、ユーザーによる操作を受け付けることなく所定時間経過すれば、スリープモードと判断する。ＭＦＰ１００の動作モードがスリープモードと判断されるまで待機状態となり（ステップＳ０２でＮＯ）、スリープモードと判断されると（ステップＳ０２でＹＥＳ）、処理をステップＳ０３に進める。
【００６７】
ステップＳ０３においては、第１スイッチ回路２０７を開く。これにより、商用電源とＭＦＰ１００とを接続する回路が開くので、ＭＦＰ１００へ供給されていた電力が遮断され、ＭＦＰ１００で電力が消費されなくなる。
【００６８】
次のステップＳ０４においては、第２スイッチ回路２０９を開く。これにより、電源回路２１１と第２通信回路２０５とを接続する回路が開くので、第２通信回路２０５で消費される電力を低減することができる。ＭＦＰ１００は駆動していないので、第２通信回路２０５を駆動する必要はない。
【００６９】
次のステップＳ０５においては、操作ボタン２１３が押下されたか否かを判断する。操作ボタン２１３が押下されたならば処理をステップＳ０８に進めるが、そうでなければ処理をステップＳ０６に進める。
【００７０】
ステップＳ０６においては、ＭＦＰ１００宛てのパケットを受信したか否かを判断する。ステップＳ０１において取得された位置情報が宛先に設定されたパケットを受信した場合に、ＭＦＰ１００宛てのパケットを受信したと判断する。ＭＦＰ１００宛てのパケットを受信したならば処理をステップＳ０７に進めるが、そうでなければ処理をステップＳ０５に戻す。ステップＳ０７においては、受信されたパケットを一時記憶し、処理をステップＳ０８に進める。ＣＰＵ２０１が備えるＲＡＭにパケットを記憶する。ＣＰＵ２０１とは別に、ＥＥＰＲＯＭ等の半導体メモリを設け、その半導体メモリに記憶するようにしてもよい。なお、処理がステップＳ０８に進んだ後においても、ＭＦＰ１００宛てのパケットが受信される場合には、受信されるパケットのすべてをＲＡＭに記憶する。
【００７１】
ステップＳ０８においては、第１スイッチ回路２０７を閉じる。これにより、商用電源とＭＦＰ１００とを接続する回路が閉じるので、ＭＦＰ１００に商用電源から電力が供給される。これにより、ＭＦＰ１００が駆動可能になる。
【００７２】
次のステップＳ０９においては、第２スイッチ回路２０９を閉じる。これにより、電源回路２１１と第２通信回路２０５とを接続する回路が閉じるので、第２通信回路２０５を介してＭＦＰ１００と通信可能になる。
【００７３】
ステップＳ１０においては、ＭＦＰ１００の動作モードが通常モードか否かを判断する。第２通信回路２０５を介してＭＦＰ１００と通信し、ＭＦＰ１００から動作状態を取得する。ＭＦＰ１００から動作状態が受信されると、通常モードと判断する。ＭＦＰ１００の動作モードが通常モードと判断されるまで待機状態となり（ステップＳ１０でＮＯ）、通常モードと判断されると（ステップＳ１０でＹＥＳ）、処理をステップＳ１１に進める。したがって、ステップＳ０６が実行されてＭＦＰ１００宛てのパケットが受信される場合、そのパケットが受信されてからステップＳ１０において通常モードと判断されるまでの間に、第１通信回路２０３が受信するＭＦＰ１００宛てのパケットのすべてが、ＲＡＭに記憶される。このため、ＭＦＰ１００宛てのパケットが失われるのを防止することができる。
【００７４】
ステップＳ１１においては、ＲＡＭにＭＦＰ１００宛てのパケットが記憶されているか否かを判断する。ＲＡＭにＭＦＰ１００宛てのパケットが記憶されているならば処理をステップＳ１２に進むが、そうでなければ処理をステップＳ１４に進める。ステップＳ１２においては、ＲＡＭに記憶されたパケットを第２通信回路２０５を介して送信する。これにより、ＭＦＰ１００においてパケットが受信される。ＲＡＭに記憶されているパケットのすべての送信が完了したか否かを判断する（ステップＳ１３）。パケットの送信が完了していなければ（ステップＳ１３でＮＯ）、処理をステップＳ１２に戻し、パケットの送信が完了したならば（ステップＳ１３でＹＥＳ）、処理をステップＳ１４に戻す。
【００７５】
ステップＳ１４においては、第１通信回路２０３と第２通信回路２０５とを接続し、処理をステップＳ０２に戻す。
【００７６】
以上説明したように、第１の実施の形態における電源制御装置２００は、商用電源とＭＦＰ１００との間に配置され、商用電源から供給される電力を交流から直流に変換する電源回路２１１と、電源回路２１１から電力が供給されるＣＰＵ２０１と、電源回路２１１から電力が供給され、ＬＡＮ２と接続される第１通信回路２０３と、ＭＦＰ１００と接続される第２通信回路２０５と、商用電源とＭＦＰ１００との間に配置される第１スイッチ回路２０７と、を備え、ＣＰＵ２０１は、第２通信回路２０５を介してＭＦＰ１００と通信することによってＭＦＰ１００の状態を取得し、通常モードと通常モードよりも消費電力が小さい省電力モードのいずれであるかを決定するモード決定部２５１と、ＭＦＰ１００に対して予め割り当てられたネットワークアドレスを取得する位置情報取得部２５９と、モード決定部２５１によりスリープモードが決定される場合に、第１スイッチ回路２０７を開くスリープ切換部２５３と、モード決定部２５１によりスリープモードが決定された後、第１通信回路２０３によってネットワークからＭＦＰ１００のネットワークアドレスを含むパケットが受信されることに応じて、第１スイッチ回路２０７を閉じる起動部２５５と、モード決定部２５１によりスリープモードが決定された後、第１通信回路２０３によってネットワークから受信されるパケットのうちＭＦＰ１００のネットワークアドレスを含むパケットを一時記憶する一時記憶制御部２６１と、モード決定部２５１によって通常モードが決定されることに応じて、一時記憶されたパケットを第２通信回路２９５を介してＭＦＰ１００に送信するパケット送信部２６３と、パケット送信部２６３による送信が終了した後に、第１通信回路２０３に接続されたＬＡＮ２を第２通信回路２０５に接続する接続部２６５と、を備える。
【００７７】
このため、ＭＦＰ１００の動作モードがスリープモードに決定される場合に、第１スイッチ回路２０７を開くので、ＭＦＰ１００の消費電力を低減することができる。また、スリープモードが決定された後、ＬＡＮ２からＭＦＰ１００のネットワークアドレスを含むパケットが受信されることに応じて、第１スイッチ回路２０７を閉じるので、ＭＦＰ１００を駆動することができる。さらに、ＬＡＮ２から受信されるパケットのうちＭＦＰ１００のネットワークアドレスを含むパケットを一時記憶し、ＭＦＰ１００の通常モードが決定されることに応じて、一時記憶されたパケットをＭＦＰ１００に送信し、送信が終了した後に、ＬＡＮ２を第２通信回路２０５に接続する。このため、ＭＦＰ１００に送信されるパケットをＭＦＰ１００によって確実に受信させることができる。
【００７８】
また、第２通信回路２０５と電源回路２１１との間に設けられる第２スイッチ回路２０９をさらに備え、モード決定部２５１は、第１スイッチ回路２０７が閉じている間に第２通信回路２０５を介してＭＦＰ１００と通信し、スリープ切換部２５３は、モード決定部２５１によりスリープモードが決定される場合に、第１スイッチ回路２０７に加えて第２スイッチ回路２０９を開き、起動手段は、モード決定部２５１によりスリープモードが決定された後、第１通信回路２０３によってＬＡＮ２からＭＦＰ１００のネットワークアドレスを含むパケットが受信されることに応じて、第１スイッチ回路２０７に加えて第２スイッチ回路２０９を閉じる。
【００７９】
このため、ＭＦＰ１００と通信するために消費される電力を低減することができる。
【００８０】
また、ユーザーによる操作を受け付ける操作スイッチ２１３を、さらに備え、起動部２５５は、操作スイッチ２１３がユーザーにより押下されることに応じて、第１スイッチ回路２０７および第２スイッチ回路２０９を閉じ、接続手段２６５は、操作スイッチ２１３がユーザーにより押下されることに応じて、第１通信回路２０３に接続されたＬＡＮ２を第２通信回路２０５に接続する。
【００８１】
このため、ユーザーによる操作が受け付けられると、第１スイッチ回路２０７および第２スイッチ回路２０９を閉じるとともに、ＬＡＮ２が第２通信回路２０５に接続されるので、ユーザーの操作によってＭＦＰ１００を通信可能な状態にすることができる。
【００８２】
＜第２の実施の形態＞
第１の実施の形態における電源制御システム１においては、１台のＭＦＰ１００の電源を制御するものであった。第２の実施の形態における電源制御システム１Ａは、複数のＭＦＰ１００，１００Ａ，１００Ｂそれぞれの電源を制御するようにしたものである。以下、第１の実施の形態における電源制御システム１と異なる点を主に説明する。また、第２の実施の形態における電源制御システム１において、第１の実施の形態における電源制御システム１と同一の部品および機能には同一の符号を付す。
【００８３】
図７は、第２の実施の形態における電源制御システム１Ａの全体概要の一例を示す図である。図７を参照して、第２の実施の形態における電源制御システム１Ａは、３台のＭＦＰ１００，１００Ａ，１００Ｂと、電源制御装置２００Ａと、２台のサブ電源制御装置２３０，２３０Ａと、を含む。
【００８４】
ＭＦＰ１００，１００Ａ，１００Ｂは、商用電源から供給される電力によって駆動する電子機器であり、ここでは、ハードウェア構成および機能は同一としている。
【００８５】
電源制御装置２００Ａは、商用電源とＭＦＰ１００との間に接続され、商用電源から供給される電力をＭＦＰ１００に供給する状態と、ＭＦＰ１００に供給しない状態とを切り換える。電源制御装置２００Ａは、さらに、ＬＡＮ２とＭＦＰ１００との間に接続され、ＭＦＰ１００をＬＡＮ２に接続した状態と、ＭＦＰ１００をＬＡＮ２と切断した状態とを切り換える。さらに、電源制御装置２００Ａは、ＬＡＮ２を複数に分岐するハブコントローラを有する。電源制御装置２００ＡのハブコントローラによってＬＡＮ２を分岐した１つが、通信ケールを介してサブ電源制御装置２３０と接続され、別の１つが、通信ケーブルを介してサブ電源制御装置２３０Ａと接続される。
【００８６】
サブ電源制御装置２３０は、商用電源とＭＦＰ１００Ａとの間に接続され、商用電源から供給される電力をＭＦＰ１００Ａに供給する状態と、ＭＦＰ１００Ａに供給しない状態とを切り換える。サブ電源制御装置２３０は、さらに、電源制御装置２００とＭＦＰ１００Ａとの間に接続され、ＭＦＰ１００ＡをＬＡＮ２に接続した状態と、ＭＦＰ１００ＡをＬＡＮ２と切断した状態とを切り換える。
【００８７】
サブ電源制御装置２３０Ａは、商用電源とＭＦＰ１００Ｂとの間に接続され、商用電源から供給される電力をＭＦＰ１００Ｂに供給する状態と、ＭＦＰ１００Ｂに供給しない状態とを切り換える。サブ電源制御装置２３０Ａは、さらに、電源制御装置２００とＭＦＰ１００Ｂとの間に接続され、ＭＦＰ１００ＢをＬＡＮ２に接続した状態と、ＭＦＰ１００ＢをＬＡＮ２と切断した状態とを切り換える。
【００８８】
サブ電源制御装置２３０とサブ電源制御装置２３０Ａとは、接続される装置がＭＦＰ１００Ａ，１００Ｂとで異なるのみで、ハードウェアおよび機能は同じなので、以下の説明では特に言及しない限りサブ電源制御装置２３０を例に説明する。
【００８９】
図８は、第２の実施の形態における電源制御装置のハードウェア構成の概要を示すブロック図である。図８を参照して、電源制御装置２００Ａが、図４に示した第１の実施の形態における電源制御装置２００と異なる点は、ＣＰＵ２０１がＣＰＵ２０１Ａに変更された点、ＭＦＰ１００Ａと接続された通信ケーブルと接続される第３通信回路２２１、ＭＦＰ１００Ｂと接続された通信ケーブルと接続される第４通信回路２２１Ａ、ハブコントローラ２２７と、第１サブ通信用電源スイッチ回路２２５と、第２サブ通信用電源スイッチ回路２２５Ａと、電圧センサー２２３，２２３Ａと、が追加された点である。
【００９０】
ＣＰＵ２０１Ａは、電源回路２１１から供給される電力で駆動し、電源制御装置２００Ａの全体を制御する。ＣＰＵ２０１Ａの機能の詳細は後述するが、第１スイッチ回路２０７を制御してＭＦＰ１００の電源を切り換える制御をするとともに、第２スイッチ回路２０９、第１通信回路２０３および第２通信回路２０５を制御してＭＦＰ１００の通信を中継する。さらに、ＣＰＵ２０１Ａは、第１サブ通信用電源スイッチ回路２２５、第１通信回路２０３および第３通信回路２２１を制御してＭＦＰ１００Ａの通信を中継し、第２サブ通信用電源スイッチ回路２２５Ａ、第１通信回路２０３および第４通信回路２２１Ａを制御してＭＦＰ１００Ｂの通信を中継する。
【００９１】
第１通信回路２０３は、電源回路２１１から供給される電力で駆動し、ＬＡＮ２を構成する通信ケーブルと接続される。第１通信回路２０３は、ＬＡＮ２を流れるパケットを受信し、受信されたパケットをＣＰＵ２０１Ａに出力する。また、第１通信回路２０３は、ＣＰＵ２０１Ａから出力されるパケットを、ＬＡＮ２に送出する。
【００９２】
第２通信回路２０５は、第２スイッチ回路２０９が回路を閉じている間に電源回路２１１から供給される電力で駆動する。第２通信回路２０５は、ＭＦＰ１００に接続される通信ケーブルと接続される。第２通信回路２０５は、ＭＦＰ１００から送出されるパケットを受信し、受信されたパケットをハブコントローラ２２７を介してＣＰＵ２０１Ａに出力する。また、第２通信回路２０５は、ＣＰＵ２０１Ａから出力されるパケットを、ハブコントローラを介して受信し、通信ケーブルを介してＭＦＰ１００に送信する。
【００９３】
第１サブ通信用電源スイッチ回路２２５は、電源回路２１１と第３通信回路２２１との間に設けられる。第１サブ通信用電源スイッチ回路２２５は、電源回路２１１から供給される電力で駆動し、ＣＰＵ２０１Ａにより制御されて電源回路２１１と第３通信回路２２１とを接続する回路を開閉する。第１サブ通信用電源スイッチ回路２２５は、電源回路２１１の第１の端子と第３通信回路２２１の電源入力端子とを接続する回路を開閉する駆動電源切換スイッチと、電源回路２１１の第２の端子と第３通信回路２２１の通信ケーブルと接続されるコネクタの所定の端子とを接続する回路を開閉する信号切換スイッチと、を含む。第１サブ通信用電源スイッチ回路２２５は、駆動電源切換スイッチと信号切換スイッチとを同時に開閉する。なお、第１サブ通信用電源スイッチ回路２２５は、駆動電源切換スイッチと信号切換スイッチとを別々に開閉するようにしてもよい。電源回路２１１の第１の端子は、第３通信回路２２１を駆動するための電圧の電力を出力し、電源回路２１１の第２の端子は、ＰｏＥ（Ｐｏｗｅｒ  ｏｖｅｒ  Ｅｔｈｅｒｎｅｔ（登録商標））規格で定められた電圧の電力を出力する。通信ケーブルと接続されるコネクタの所定の端子は、ＰｏＥ規格で定められた端子である。以下、ＰｏＥ規格で定められた電圧をＰｅＥ電圧といい、通信ケーブルと接続されるコネクタの所定の端子をＰｏＥ端子という。
【００９４】
第１サブ通信用電源スイッチ回路２２５の駆動電源切換スイッチが回路を閉じた状態では、電源回路２１１の第１の端子と第３通信回路２２１とを電気的に接続した状態となり、信号切換スイッチが回路を閉じた状態では、電源回路２１１の第２の端子と第３通信回路２２１の通信ケーブルと接続されるコネクタのＰｏＥ端子とが電気的に接続した状態となる。また、第１サブ通信用電源スイッチ回路２２５の駆動電源切換スイッチが回路を開いた状態では、電源回路２１１の第１の端子と第３通信回路２２１とが電気的に接続しない状態となり、信号切換スイッチが回路を閉じた状態では、電源回路２１１の第２の端子と第３通信回路２２１のＰｏＥ端子とが電気的に接続しない状態となる。このため、電源プラグ２１７が商用電源に接続される場合、第１サブ通信用電源スイッチ回路２２５の駆動電源切換スイッチが回路を閉じた状態では、第３通信回路２２１に電源回路２１１から電力が供給され、信号切換スイッチが回路を閉じた状態では、第３通信回路２２１のＰｏＥ端子にＰｏＥ電圧が印加される。第１サブ通信用電源スイッチ回路２２５の駆動電源切換スイッチが回路を開いた状態では、第３通信回路２２１に電源回路２１１から電力が供給されず、信号切換スイッチが回路を開いた状態では、第３通信回路２２１のＰｏＥ端子にＰｏＥ電圧が印加されない。
【００９５】
第３通信回路２２１は、第１サブ通信用電源スイッチ回路２２５の駆動電源切換スイッチが回路を閉じている間に電源回路２１１から供給される電力で駆動する。第３通信回路２２１は、ＭＦＰ１００Ａに接続される通信ケーブルと接続される。第３通信回路２２１は、ＭＦＰ１００Ａから送出されるパケットを受信し、受信されたパケットをハブコントローラ２２７を介してＣＰＵ２０１Ａに出力する。また、第３通信回路２２１は、ＣＰＵ２０１Ａから出力されるパケットを、ハブコントローラ２２７を介して受信し、通信ケーブルを介してＭＦＰ１００Ａに送信する。
【００９６】
電圧センサー２２３は、第３通信回路２２１のＰｏＥ端子と、第１サブ通信用電源スイッチ回路２２５との間に設けられ、第３通信回路２２１のＰｏＥ端子の電圧を検出する。電圧センサー２２３は、検出された電圧をＣＰＵ２０１Ａに出力する。
【００９７】
第２サブ通信用電源スイッチ回路２２５Ａは、電源回路２１１と第４通信回路２２１Ａとの間に設けられる。第２サブ通信用電源スイッチ回路２２５Ａは、電源回路２１１から供給される電力で駆動し、ＣＰＵ２０１Ａにより制御されて電源回路２１１と第３通信回路２２１Ａとを接続する回路を開閉する。第２サブ通信用電源スイッチ回路２２５Ａは、電源回路２１１の第１の端子と第４通信回路２２１Ａの電源入力端子とを接続する回路を開閉する駆動電源切換スイッチと、電源回路２１１の第２の端子と第４通信回路２２１Ａの通信ケーブルと接続されるコネクタの所定の端子とを接続する回路を開閉する信号切換スイッチと、を含む。第２サブ通信用電源スイッチ回路２２５Ａは、駆動電源切換スイッチと信号切換スイッチとを同時に開閉する。なお、第２サブ通信用電源スイッチ回路２２５Ａは、駆動電源切換スイッチと信号切換スイッチとを別々に開閉するようにしてもよい。
【００９８】
第２サブ通信用電源スイッチ回路２２５Ａの駆動電源切換スイッチが回路を閉じた状態では、電源回路２１１の第１の端子と第４通信回路２２１Ａとを電気的に接続した状態となり、信号切換スイッチが回路を閉じた状態では、電源回路２１１の第２の端子と第４通信回路２２１Ａの通信ケーブルと接続されるコネクタのＰｏＥ端子とが電気的に接続した状態となる。また、第２サブ通信用電源スイッチ回路２２５Ａの駆動電源切換スイッチが回路を開いた状態では、電源回路２１１の第１の端子と第４通信回路２２１Ａとが電気的に接続しない状態となり、信号切換スイッチが回路を閉じた状態では、電源回路２１１の第２の端子と第３通信回路２２１ＡのＰｏＥ端子とが電気的に接続しない状態となる。このため、電源プラグ２１７が商用電源に接続される場合、第２サブ通信用電源スイッチ回路２２５Ａの駆動電源切換スイッチが回路を閉じた状態では、第４通信回路２２１Ａに電源回路２１１から電力が供給され、信号切換スイッチが回路を閉じた状態では、第４通信回路２２１ＡのＰｏＥ端子にＰｏＥ電圧が印加される。第２サブ通信用電源スイッチ回路２２５Ａの駆動電源切換スイッチが回路を開いた状態では、第４通信回路２２１Ａに電源回路２１１から電力が供給されず、信号切換スイッチが回路を開いた状態では、第４通信回路２２１ＡのＰｏＥ端子にＰｏＥ電圧が印加されない。
【００９９】
第４通信回路２２１Ａは、第２サブ通信用電源スイッチ回路２２５Ａの駆動電源用スイッチが回路を閉じている間に電源回路２１１から供給される電力で駆動する。第４通信回路２２１Ａは、ＭＦＰ１００Ｂに接続される通信ケーブルと接続される。第４通信回路２２１Ａは、ＭＦＰ１００Ｂから送出されるパケットを受信し、受信されたパケットをハブコントローラ２２７を介してＣＰＵ２０１Ａに出力する。また、第４通信回路２２１Ａは、ＣＰＵ２０１Ａから出力されるパケットを、ハブコントローラ２２７を介して受信し、通信ケーブルを介してＭＦＰ１００Ｂに送信する。
【０１００】
電圧センサー２２３Ａは、第４通信回路２２１ＡのＰｏＥ端子と、第２サブ通信用電源スイッチ回路２２５Ａとの間に設けられ、第４通信回路２２１ＡのＰｏＥ端子の電圧を検出する。電圧センサー２２３Ａは、検出された電圧をＣＰＵ２０１Ａに出力する。
【０１０１】
電源回路２１１は、第１スイッチ回路２０７、第２スイッチ回路２０９、第１サブ通信用電源スイッチ回路２２５および第２サブ通信用電源スイッチ回路２２５Ａが開いている間は、ＣＰＵ２０１、第１通信回路２０３、第１スイッチ回路２０７、第２スイッチ回路２０９、第１サブ通信用電源スイッチ回路２２５および第２サブ通信用電源スイッチ回路２２５Ａに電力を供給する。第１スイッチ回路２０７および第２スイッチ回路２０９が開いている間に、電源制御装置２００により消費される電力は、ＣＰＵ２０１、第１通信回路２０３、第１スイッチ回路２０７、第２スイッチ回路２０９、第１サブ通信用電源スイッチ回路２２５および第２サブ通信用電源スイッチ回路２２５Ａそれぞれで消費される電力の合計であり、この合計の消費電力は、予め定められた電力以下となる。予め定められた電力は、たとえば、０．５Ｗである。
【０１０２】
以下の説明では、電源プラグ２１７が商用電源に接続され、電力出力端子２１５がＭＦＰ１００の電源プラグ１７１と接続され、第１通信回路２０３がＬＡＮ２を構成する通信ケーブルと接続され、第２通信回路２０５がＭＦＰ１００の通信Ｉ／Ｆ１１２に接続される通信ケーブルと接続され、第３通信回路２２１がＭＦＰ１００Ａの通信Ｉ／Ｆ１１２に接続される通信ケーブルと接続され、第４通信回路２２１ＡがＭＦＰ１００Ｂの通信Ｉ／Ｆ１１２に接続される通信ケーブルと接続される場合を例に説明する。
【０１０３】
電源プラグ２１７が商用電源に接続されるため、電源回路２１１からＣＰＵ２０１、第１通信回路２０３、第１スイッチ回路２０７、第２スイッチ回路２０９、第１サブ通信用電源スイッチ回路２２５および第２サブ通信用電源スイッチ回路２２５Ａには、常に直流の電力が供給される。
【０１０４】
図９は、第２の実施の形態におけるサブ電源制御装置のハードウェア構成の概要を示すブロック図である。図９を参照して、サブ電源制御装置２３０は、サブ電源制御装置２３０の全体を制御するサブＣＰＵ２３１と、電源制御装置２００Ａの第３通信回路２２１と通信ケーブルで接続される第１コネクタ２３３と、ＭＦＰ１００Ａと接続された通信ケーブルが接続される第２コネクタ２３４と、商用電源のソケットと接続されるサブ電源プラグ２４１と、サブ電源プラグ２４１と接続されるサブ電源回路２３７と、ＭＦＰ１００Ａの電源プラグ１７１Ａと接続されるサブ電力出力端子２３９と、サブ電源プラグ２４１とサブ電力出力端子２３９との間に設けられたサブ装置用スイッチ回路２３５と、サブ操作ボタン２４３と、を含む。
【０１０５】
サブ電源回路２３７は、サブ電源プラグ２４１と接続される。サブ電源プラグ２４１は、商用電源に接続される。サブ電源回路２３７は、サブ電源プラグ２４１が商用電源に接続される場合に、商用電源から電力が供給される。商用電源から供給される電力は交流である。サブ電源回路２３７は、交流を直流に変換する変換器である。サブ電源回路２３７は、商用電源から供給される交流の電力を変換した直流の電力を、サブＣＰＵ２３１およびサブ装置用スイッチ回路２３５に供給する。
【０１０６】
サブＣＰＵ２３１は、サブ電源回路２３１から供給される電力で駆動し、サブ電源制御装置２３０の全体を制御する。サブＣＰＵ２３１の機能の詳細は後述するが、サブ装置用スイッチ回路２３５を制御してＭＦＰ１００の電源を切り換える制御をする。また、サブＣＰＵ２３１は、第１コネクタ２３３のＰｏＥ端子の電圧を検出するとともに、第１コネクタ２３３のＰｏＥ端子にＰｏＥ電圧を印加する。
【０１０７】
サブ装置用スイッチ回路２３５は、サブ電源プラグ２４１と、サブ電力出力端子２３９との間に設けられる。サブ電力出力端子２３９は、ＭＦＰ１００Ａの電源プラグ１７１Ａが接続される。サブ装置用スイッチ回路２３５は、サブ電源回路２３７から供給される電力で駆動し、サブＣＰＵ２３１により制御されてサブ電源プラグ２４１とサブ電力出力端子２３９とを接続する回路を開閉する。サブ装置用スイッチ回路２３５が回路を閉じた状態では、サブ電源プラグ２４１とサブ電力出力端子２３９とを電気的に接続した状態となり、サブ装置用スイッチ回路２３５が回路を開いた状態では、サブ電源プラグ２４１とサブ電力出力端子２３９とが電気的に接続されていない状態となる。このため、サブ電源プラグ２４１が商用電源に接続され、かつ、サブ電力出力端子２３９がＭＦＰ１００Ａの電源プラグ１７１Ａと接続される場合、サブ装置用スイッチ回路２３５が回路を閉じた状態では、ＭＦＰ１００Ａに商用電源から電力が供給され、サブ装置用スイッチ回路２３５が回路を開いた状態では、ＭＦＰ１００Ａに商用電源から電力が供給されない。
【０１０８】
第１コネクタ２３３と第２コネクタ２３４とは接続されている。このため、第２コネクタ２３４にＭＦＰ１００Ａと接続された通信ケーブルが接続され、第１コネクタ２３３に電源制御装置２００の第３通信回路２２１に接続された通信ケーブルが接続される場合、ＭＦＰ１００Ａは、電源制御装置２００を介してＬＡＮ２に接続される。
【０１０９】
図１０は、第２の実施の形態における電源制御装置が備えるＣＰＵの機能の概要を示すブロック図である。図１０に示すＣＰＵ２０１Ａの機能が、図５に示すＣＰＵ２０１の機能と異なる点は、モード決定部２５１、スリープ切換部２５３、起動部２５５、位置情報取得部２５９、一時記憶制御部２６１、パケット送信部２６３および接続部２６５が、モード決定部２５１Ａ、スリープ切換部２５３Ａ、起動部２５５Ａ、位置情報取得部２５９Ａ、一時記憶制御部２６１Ａ、パケット送信部２６３Ａおよび接続部２６５Ａに変更された点、信号出力制御部２６７、起動状態信号検出部２６９が追加された点である。
【０１１０】
ここでは、説明のために第１スイッチ回路２０７、第２スイッチ回路２０９、第１サブ通信用電源スイッチ回路２２５および第２サブ通信用電源スイッチ回路２２５Ａそれぞれが回路を閉じた状態を起点にしてＣＰＵ２０１Ａの機能を説明する。ＣＰＵ２０１Ａは、第１スイッチ回路２０７、第２スイッチ回路２０９、第１サブ通信用電源スイッチ回路２２５および第２サブ通信用電源スイッチ回路２２５Ａそれぞれを制御して回路を開閉させる。
【０１１１】
第１スイッチ回路２０７が閉じた状態では、ＭＦＰ１００に商用電源から供給される電力が入力されるので、ＭＦＰ１００は商用電源から供給される電力で駆動する。また、第２スイッチ回路２０９が閉じた状態では、第２通信回路２０５が駆動するので、ＣＰＵ２０１Ａは、ＭＦＰ１００と通信可能である。第１サブ通信用電源スイッチ回路２２５が閉じた状態では、第３通信回路２２１が駆動するので、ＣＰＵ２０１Ａは、ＭＦＰ１００Ａと通信可能である。第２サブ通信用電源スイッチ回路２２５Ａが閉じた状態では、第４通信回路２２１Ａが駆動するので、ＣＰＵ２０１Ａは、ＭＦＰ１００Ｂと通信可能である。
【０１１２】
モード決定部２５１Ａは、第１の実施の形態におけるモード決定部２５１が有する機能に加えて、遠隔モード決定部２７１を含む。遠隔モード決定部２７１は、第３通信回路２２１を介してＭＦＰ１００Ａと通信し、ＭＦＰ１００Ａの動作モードを決定する。したがって、遠隔モード決定部２７１は、第３通信回路２２１が電力の供給を受けて駆動している間に、ＭＦＰ１００Ａの動作モードを決定する。さらに、遠隔モード決定部２７１は、第４通信回路２２１Ａを介してＭＦＰ１００Ｂと通信し、ＭＦＰ１００Ｂの動作モードを決定する。したがって、遠隔モード決定部２７１は、第４通信回路２２１Ａが電力の供給を受けて駆動している間に、ＭＦＰ１００Ｂの動作モードを決定する。
【０１１３】
なお、遠隔モード決定部２７１がＭＦＰ１００Ａの動作モードを省電力モードに決定した後は、第３通信回路２２１に電力が供給されなくなるので、後述する遠隔起動部２７５からＭＦＰ１００Ａに対する起動完了信号が入力された後に、第３通信回路２２１を介してＭＦＰ１００Ａと通信し、ＭＦＰ１００Ａの動作モードを決定する。また、遠隔モード決定部２７１がＭＦＰ１００Ｂの動作モードを省電力モードに決定した後は、第４通信回路２２１Ａに電力が供給されなくなるので、後述する遠隔起動部２７５からＭＦＰ１００Ｂに対する起動完了信号が入力された後に、第４通信回路２２１Ａを介してＭＦＰ１００Ｂと通信し、ＭＦＰ１００Ｂの動作モードを決定する。
【０１１４】
遠隔モード決定部２７１は、ＭＦＰ１００Ａの動作モードとして省電力モードを決定する場合、ＭＦＰ１００Ａの動作モードが通常モードから省電力モードに切り換わった時点で、スリープ切換部２５３ＡにＭＦＰ１００Ａを特定したスリープ切換指示を出力する。また、遠隔モード決定部２７１は、ＭＦＰ１００Ｂの動作モードとして省電力モードを決定する場合、ＭＦＰ１００Ｂの動作モードが通常モードから省電力モードに切り換わった時点で、スリープ切換部２５３ＡにＭＦＰ１００Ｂを特定したスリープ切換指示を出力する。
【０１１５】
また、遠隔モード決定部２７１は、ＭＦＰ１００ＡおよびＭＦＰ１００Ｂそれぞれの動作モードを一時記憶制御部２６１およびパケット送信部２６３に出力する。換言すれば、遠隔モード決定部２７１は、ＭＦＰ１００Ａの動作モードを通常モードに決定している間は、ＭＦＰ１００Ａが通常モードであることを一時記憶制御部２６１Ａおよびパケット送信部２６３Ａに出力し、ＭＦＰ１００Ａの動作モードを省電力モードに決定している間は、ＭＦＰ１００Ａが省電力モードであることを一時記憶制御部２６１Ａおよびパケット送信部２６３Ａに出力する。同様に、遠隔モード決定部２７１は、ＭＦＰ１００Ｂの動作モードを通常モードに決定している間は、ＭＦＰ１００Ｂが通常モードであることを一時記憶制御部２６１Ａおよびパケット送信部２６３Ａに出力し、ＭＦＰ１００Ａの動作モードを省電力モードに決定している間は、ＭＦＰ１００Ａが省電力モードであることを一時記憶制御部２６１Ａおよびパケット送信部２６３Ａに出力する。
【０１１６】
位置情報取得部２５９Ａは、ＬＡＮ２においてＭＦＰ１００ＡおよびＭＦＰ１００Ｂそれぞれに対して予め割り当てられた位置情報を取得する。位置情報取得部２５９Ａは、第３通信回路２２１を介してＭＦＰ１００Ａと通信することによってＭＦＰ１００Ａから位置情報を取得し、第４通信回路２２１Ａを介してＭＦＰ１００Ｂと通信することによってＭＦＰ１００Ｂから位置情報を取得し、ＣＰＵ２０１Ａが備えるＲＡＭにＭＦＰ１００Ａの位置情報およびＭＦＰ１００Ｂの位置情報を記憶する。また、第１通信回路２０３を介してＬＡＮ２に接続されたコンピューターによって電源制御装置２００Ａが遠隔操作される場合には、そのコンピューターからＭＦＰ１００ＡおよびＭＦＰ１００Ｂそれぞれの位置情報を設定するようにしてもよい。さらに、電源制御装置２００Ａがキーボード等のユーザーインターフェースを備える場合には、ユーザーがキーボードからＭＦＰ１００ＡおよびＭＦＰ１００Ｂの位置情報を入力するようにしてもよい。位置情報取得部２５９Ａは、ＭＦＰ１００ＡおよびＭＦＰ１００Ｂそれぞれの位置情報を一時記憶制御部２６１Ａに出力する。
【０１１７】
一時記憶制御部２６１Ａは、第１の実施の形態における一時記憶制御部２６１が有する機能に加えて、遠隔一時記憶制御部２７７を含む。遠隔一時記憶制御部２７７は、遠隔モード決定部２７１からＭＦＰ１００ＡおよびＭＦＰ１００Ｂそれぞれの動作モードが入力され、位置情報取得部２５９ＡからＭＦＰ１００ＡおよびＭＦＰ１００Ｂそれぞれの位置情報が入力される。遠隔一時記憶制御部２７７は、遠隔モード決定部２７１から入力されるＭＦＰ１００Ａの動作モードが省電力モードを示す状態で、第１通信回路２０３がＬＡＮ２から受信するＭＦＰ１００Ａ宛てのパケットをＣＰＵ２０１Ａが備えるＲＡＭに一時記憶し、遠隔モード決定部２７１から入力されるＭＦＰ１００Ｂの動作モードが省電力モードを示す状態で、第１通信回路２０３がＬＡＮ２から受信するＭＦＰ１００Ｂ宛てのパケットをＣＰＵ２０１Ａが備えるＲＡＭに一時記憶する。具体的には、遠隔一時記憶制御部２７７は、第１通信回路２０３がＬＡＮ２から受信するパケットを監視し、受信されたパケットが、位置情報取得部２５９から入力されるＭＦＰ１００Ａの位置情報を含む場合に、受信されたパケットをＭＦＰ１００Ａ宛てのパケットと判断し、受信されたパケットが、位置情報取得部２５９から入力されるＭＦＰ１００Ｂの位置情報を含む場合に、受信されたパケットをＭＦＰ１００Ｂ宛てのパケットと判断する。
【０１１８】
遠隔一時記憶制御部２７７は、遠隔モード決定部２７１から入力されるＭＦＰ１００Ａの動作モードが省電力モードを示す状態で、第１通信回路２０３がＬＡＮ２からＭＦＰ１００Ａ宛てのパケットを受信することに応じて、起動部２５５ＡにＭＦＰ１００Ａを特定した起動指示を出力するとともに、パケット送信部２６３ＡにＭＦＰ１００Ａを特定した送信指示を出力する。同様に、遠隔一時記憶制御部２７７は、遠隔モード決定部２７１から入力されるＭＦＰ１００Ｂの動作モードが省電力モードを示す状態で、第１通信回路２０３がＬＡＮ２からＭＦＰ１００Ｂ宛てのパケットを受信することに応じて、起動部２５５ＡにＭＦＰ１００Ｂを特定した起動指示を出力するとともに、パケット送信部２６３ＡにＭＦＰ１００Ｂを特定した送信指示を出力する。
【０１１９】
パケット送信部２６３Ａは、第１の実施の形態におけるパケット送信部２６３が有する機能に加えて、遠隔パケット送信部２７９を含む。遠隔パケット送信部２７９は、遠隔一時記憶制御部２７７からＭＦＰ１００Ａを特定した送信指示が入力された後に、遠隔モード決定部２７１から入力されるＭＦＰ１００Ａの動作モードが通常モードに切り換わることに応じて、遠隔一時記憶制御部２７７によりＲＡＭに記憶されたＭＦＰ１００Ａ宛てのパケットを第３通信回路２２１を介してＭＦＰ１００Ａに送信する。遠隔パケット送信部２７９は、一時記憶制御部２６１によりＲＡＭに記憶されたＭＦＰ１００Ａ宛てのパケットのすべての送信が完了することに応じて、接続部２６５ＡにＭＦＰ１００Ａを特定した接続指示を出力する。同様に、遠隔パケット送信部２７９は、遠隔一時記憶制御部２７７からＭＦＰ１００Ｂを特定した送信指示が入力された後に、遠隔モード決定部２７１から入力されるＭＦＰ１００Ｂの動作モードが通常モードに切り換わることに応じて、遠隔一時記憶制御部２７７によりＲＡＭに記憶されたＭＦＰ１００Ｂ宛てのパケットを第４通信回路２２１Ａを介してＭＦＰ１００Ｂに送信する。遠隔パケット送信部２７９は、一時記憶制御部２６１によりＲＡＭに記憶されたＭＦＰ１００Ｂ宛てのパケットのすべての送信が完了することに応じて、接続部２６５ＡにＭＦＰ１００Ｂを特定した接続指示を出力する。
【０１２０】
接続部２６５Ａは、第１の実施の形態における接続部２６５が有する機能に加えて、遠隔接続部２８１を含む。遠隔接続部２８１は、遠隔パケット送信部２７９からＭＦＰ１００Ａを特定する接続指示が入力されることに応じて、第１通信回路２０３と第３通信回路２２１とを接続する。また、遠隔接続部２８１は、後述する起動状態信号検出部２６９からＭＦＰ１００Ａを特定する接続指示が入力されることに応じて、第１通信回路２０３と第３通信回路２２１とを接続する。これにより、ＭＦＰ１００ＡがＬＡＮ２に接続される。
【０１２１】
同様に、遠隔接続部２８１は、遠隔パケット送信部２７９からＭＦＰ１００Ｂを特定する接続指示が入力されることに応じて、第１通信回路２０３と第４通信回路２２１Ａとを接続する。また、遠隔接続部２８１は、後述する起動状態信号検出部２６９からＭＦＰ１００Ｂを特定する接続指示が入力されることに応じて、第１通信回路２０３と第４通信回路２２１Ａとを接続する。これにより、ＭＦＰ１００ＢがＬＡＮ２に接続される。
【０１２２】
信号出力制御部２６７は、ＭＦＰ１００ＡおよびＭＦＰ１００Ｂそれぞれに、起動信号またはスリープ移行信号を出力する。ここでは、信号出力制御部２６７は、第３通信回路２２１のＰｏＥ端子にＰｅＥ電圧を印加することによりＭＦＰ１００Ａに起動信号を出力し、第３通信回路２２１のＰｏＥ端子にＰｅＥ電圧を印加しないことによりＭＦＰ１００Ａにスリープ移行信号を出力する。同様に、信号出力制御部２６７は、第４通信回路２２１ＡのＰｏＥ端子にＰｅＥ電圧を印加することによりＭＦＰ１００Ｂに起動信号を出力し、第４通信回路２２１ＡのＰｏＥ端子にＰｅＥ電圧を印加しないことによりＭＦＰ１００Ｂにスリープ移行信号を出力する。具体的には、信号出力制御部２６７は、第１サブ通信用電源スイッチ回路２２５の信号切換スイッチを閉じることにより、ＭＦＰ１００Ａに起動信号を出力し、第１サブ通信用電源スイッチ回路２２５の信号切換スイッチを開くことにより、ＭＦＰ１００Ａにスリープ切換信号を出力する。同様に、信号出力制御部２６７は、第２サブ通信用電源スイッチ回路２２５Ａの信号切換スイッチを閉じることにより、ＭＦＰ１００Ｂに起動信号を出力し、第２サブ通信用電源スイッチ回路２２５Ａの信号切換スイッチを開くことにより、ＭＦＰ１００Ｂにスリープ切換信号を出力する。
【０１２３】
スリープ切換部２５３Ａは、第１の実施の形態におけるスリープ切換部２５３が有する機能に加えて、遠隔スリープ切換部２７３を含む。遠隔スリープ切換部２７３は、遠隔モード決定部２７１からＭＦＰ１００Ａを特定したスリープ切換指示が入力されることに応じて、信号出力制御部２６７を制御してＭＦＰ１００Ａにスリープ移行信号を出力させるとともに、第１サブ通信用電源スイッチ回路２２５の駆動電源切換スイッチを開く。第１サブ通信用電源スイッチ回路２２５の駆動電源切換スイッチが回路を開くことにより、第３通信回路２２１が駆動しなくなり、消費電力が低減する。同様に、遠隔スリープ切換部２７３は、遠隔モード決定部２７１からＭＦＰ１００Ｂを特定したスリープ切換指示が入力されることに応じて、信号出力制御部２６７を制御してＭＦＰ１００Ｂにスリープ移行信号を出力させるとともに、第２サブ通信用電源スイッチ回路２２５Ａの駆動電源切換スイッチを開く。第２サブ通信用電源スイッチ回路２２５Ａの駆動電源切換スイッチが開くことにより、第４通信回路２２１Ａが駆動しなくなり、消費電力が低減する。
【０１２４】
起動状態信号検出部２６９は、サブ電源制御装置２３０，２３０Ａそれぞれから出力される起動状態信号を検出する。具体的には、起動状態信号検出部２６９は、電圧センサー２２３によって検出される電圧がＰｏＥ電圧ならばサブ電源制御装置２３０が出力する起動状態信号を検出する。起動状態信号検出部２６９は、サブ電源制御装置２３０が出力する起動状態信号を検出すると、起動部２５５ＡにＭＦＰ１００Ａを特定した起動指示を出力するとともに、接続部２６５ＡにＭＦＰ１００Ａを特定した接続指示を出力する。同様に、起動状態信号検出部２６９は、電圧センサー２２３Ａによって検出される電圧がＰｏＥ電圧ならばサブ電源制御装置２３０Ａが出力する起動状態信号を検出する。起動状態信号検出部２６９は、サブ電源制御装置２３０Ａが出力する起動状態信号を検出すると、起動部２５５ＡにＭＦＰ１００Ｂを特定した起動指示を出力するとともに、接続部２６５ＡにＭＦＰ１００Ｂを特定した接続指示を出力する。
【０１２５】
起動部２５５Ａは、第１の実施の形態における起動部２５５が有する機能に加えて、遠隔起動部２７５を含む。遠隔起動部２７５は、ＭＦＰ１００Ａを特定した起動指示が入力されることに応じて、信号出力制御部２６７を制御してＭＦＰ１００Ａに起動信号を出力させるとともに、第１サブ通信用電源スイッチ回路２２５の駆動電源切換スイッチを閉じる。ＭＦＰ１００Ａを特定した起動指示は、遠隔一時記憶制御部２７７から入力される場合と、起動状態信号検出部２６９から入力される場合とがある。遠隔起動部２７５は、第１サブ通信用電源スイッチ回路２２５の駆動電源切換スイッチを閉じた後に、ＭＦＰ１００Ａを特定した起動完了信号を遠隔モード決定部２７１に出力する。第１サブ通信用電源スイッチ回路２２５の駆動電源切換スイッチが閉じることにより、電源回路２１１と第３通信回路２２１とを接続する回路が閉じるので、第３通信回路２２１が駆動し、ＣＰＵ２０１ＡがＭＦＰ１００Ａと通信可能になる。ただし、ＭＦＰ１００Ａに電力が供給されてＭＦＰ１００Ａが起動してからＭＦＰ１００Ａが通信可能になるまでは、ＣＰＵ２０１Ａは通信することができない。このため、上述したように、遠隔モード決定部２７１は、第３通信回路２２１を介してＭＦＰ１００Ａに動作状態を問い合わせ、ＭＦＰ１００Ａが返信する動作状態を受信した時点で、ＭＦＰ１００Ａが通信可能な状態と判断し、通常モードに決定する。
【０１２６】
同様に、遠隔起動部２７５は、ＭＦＰ１００Ｂを特定した起動指示が入力されることに応じて、信号出力制御部２６７を制御してＭＦＰ１００Ｂに起動信号を出力させるとともに、第２サブ通信用電源スイッチ回路２２５Ａの駆動電源切換スイッチを閉じる。ＭＦＰ１００Ｂを特定した起動指示は、遠隔一時記憶制御部２７７から入力される場合と、起動状態信号検出部２６９から入力される場合とがある。遠隔起動部２７５は、第２サブ通信用電源スイッチ回路２２５Ａの駆動電源切換スイッチを閉じた後に、ＭＦＰ１００Ｂを特定した起動完了信号を遠隔モード決定部２７１に出力する。第２サブ通信用電源スイッチ回路２２５Ａの駆動電源切換スイッチが閉じることにより、電源回路２１１と第４通信回路２２１Ａとを接続する回路が閉じるので、第４通信回路２２１Ａが駆動し、ＣＰＵ２０１ＡがＭＦＰ１００Ｂと通信可能になる。ただし、ＭＦＰ１００Ｂに電力が供給されてＭＦＰ１００Ｂが起動してからＭＦＰ１００Ｂが通信可能になるまでは、ＣＰＵ２０１Ａは通信することができない。このため、上述したように、遠隔モード決定部２７１は、第４通信回路２２１Ａを介してＭＦＰ１００Ｂに動作状態を問い合わせ、ＭＦＰ１００Ｂが返信する動作状態を受信した時点で、ＭＦＰ１００Ｂが通信可能な状態と判断し、通常モードに決定する。
【０１２７】
なお、第２の実施の形態においては、第１サブ通信用電源スイッチ回路２２５および第２サブ通信用電源スイッチ回路２２５Ａそれぞれは、駆動電源切換スイッチと信号切換スイッチとを別々に開閉するようにしたが、第１サブ通信用電源スイッチ回路２２５および第２サブ通信用電源スイッチ回路２２５Ａそれぞれは、駆動電源切換スイッチと信号切換スイッチとを同時に開閉するようにしてもよい。この場合は、遠隔スリープ切換部２７３が、第１サブ通信用電源スイッチ回路２２５および第２サブ通信用電源スイッチ回路２２５Ａを開閉させればよいので、信号出力制御部２６７は不要である。具体的には、第１サブ通信用電源スイッチ回路２２５が回路を閉じた状態では、電源回路２１１と第３通信回路２２１とを電気的に接続した状態で、かつ、第３通信回路２２１のＰｏＥ端子にＰｏＥ電圧が印加される状態となる。第１サブ通信用電源スイッチ回路２２５が回路を開いた状態では、電源回路２１１と第３通信回路２２１とが電気的に接続されていない状態となるとともに、第３通信回路２２１のＰｏＥ端子にＰｏＥ電圧が印加されない状態となる。同様に、第２サブ通信用電源スイッチ回路２２５Ａが回路を閉じた状態では、電源回路２１１と第４通信回路２２１Ａとを電気的に接続した状態で、かつ、第４通信回路２２１ＡのＰｏＥ端子にＰｏＥ電圧が印加される状態となる。第２サブ通信用電源スイッチ回路２２５Ａが回路を開いた状態では、電源回路２１１と第４通信回路２２１Ａとが電気的に接続されていない状態となるとともに、第３通信回路２２１のＰｏＥ端子にＰｏＥ電圧が印加されない状態となる。このため、遠隔スリープ切換部２７３は、遠隔モード決定部２７１からＭＦＰ１００Ａを特定したスリープ切換指示が入力されることに応じて、第１サブ通信用電源スイッチ回路２２５に回路を開かせ、遠隔モード決定部２７１からＭＦＰ１００Ｂを特定したスリープ切換指示が入力されることに応じて、第２サブ通信用電源スイッチ回路２２５Ａに回路を開かせる。同様に、遠隔起動部２７５は、遠隔一時記憶制御部２７７または起動状態信号検出部２６９からＭＦＰ１００Ａを特定した起動指示が入力されることに応じて、第１サブ通信用電源スイッチ回路２２５に回路を閉じさせ、遠隔一時記憶制御部２７７または起動状態信号検出部２６９からＭＦＰ１００Ｂを特定した起動指示が入力されることに応じて、第２サブ通信用電源スイッチ回路２２５Ａに回路を閉じさせる。
【０１２８】
図１１は、第２の実施の形態におけるサブ電源制御装置が備えるサブＣＰＵの機能の概要を示すブロック図である。図１１を参照して、サブ電源制御装置２３０が備えるサブＣＰＵ２３１は、サブ装置用スイッチ回路２３５を制御する電源切換制御部２９１と、サブ電圧検出部２９９と、スリープ移行信号検出部２９３と、起動信号検出部２９５と、サブ操作受付部３０１と、操作時起動部２９７と、を含む。
【０１２９】
サブ電圧検出部２９９は、第１コネクタ２３３のＰｏＥ端子の電圧を検出する。サブ電圧検出部２９９は、検出された第１コネクタ２３３のＰｏＥ端子の電圧をスリープ移行信号検出部２９３および起動信号検出部２９５に出力する。
【０１３０】
スリープ移行信号検出部２９３は、サブ電圧検出部２９９から入力される電圧値がＰｏＥ電圧からＰｏＥ電圧とは異なる電圧に変更することに応じてスリープ移行信号を検出し、スリープ移行信号を検出することに応じて、電源切換制御部２９１にスリープ移行指示を出力する。
【０１３１】
起動信号検出部２９５は、サブ電圧検出部２９９から入力される電圧値が、ＰｏＥ電圧とは異なる電圧からＰｏＥ電圧に変更することに応じて起動信号を検出し、起動信号を検出することに応じて、電源切換制御部２９１に起動指示を出力する。起動信号検出部２９５は、サブ電圧検出部２９９から入力される電圧値がＰｏＥ電圧である間、電源切換制御部２９１に起動指示を出力する。
【０１３２】
サブ操作受付部３０１は、サブ操作ボタン２４３がユーザーにより押下されると、操作時起動部２９７に起動指示を出力する。操作時起動部２９７は、起動指示が入力されることに応じて、電源制御装置２００に起動状態信号を出力する。具体的には、操作時起動部２９７は、第１コネクタ２３３のＰｏＥ端子にＰｏＥ電圧を印加することによって、起動状態信号を出力する。
【０１３３】
電源切換制御部２９１は、スリープ移行信号検出部２９３からスリープ移行指示が入力されることに応じて、サブ装置用スイッチ回路２３５を制御して回路を開かせる。サブ装置用スイッチ回路２３５が回路を開いた状態では、サブ電源プラグ２４１とサブ電力出力端子２３９とが電気的に接続されていない状態となる。このため、サブ電源プラグ２４１が商用電源に接続され、かつ、サブ電力出力端子２３９がＭＦＰ１００Ａの電源プラグ１７１Ａと接続される場合、サブ装置用スイッチ回路２３５が回路を開いた状態では、ＭＦＰ１００Ａに商用電源から電力が供給されないので、ＭＦＰ１００Ａによって消費される電力を低減することができる。
【０１３４】
電源切換制御部２９１は、起動信号検出部２９５から起動指示が入力されることに応じて、サブ装置用スイッチ回路２３５を制御して回路を閉じさせる。電源切換制御部２９１は、起動信号検出部２９５から起動指示が入力されている間、サブ装置用スイッチ回路２３５に回路を閉じさせる。サブ装置用スイッチ回路２３５が回路を閉じた状態では、サブ電源プラグ２４１とサブ電力出力端子２３９とが電気的に接続される状態となる。このため、サブ電源プラグ２４１が商用電源に接続され、かつ、サブ電力出力端子２３９がＭＦＰ１００Ａの電源プラグ１７１と接続される場合、サブ装置用スイッチ回路２３５が回路を閉じた状態では、ＭＦＰ１００Ａに商用電源から電力が供給され、ＭＦＰ１００Ａが駆動する。
【０１３５】
図１２は、サブ操作ボタン、ＰｏＥ端子の入出力電圧およびサブ装置用スイッチ回路の開閉状態の時間的な流れの一例を示す図である。図１２を参照して、ＰｏＥ端子出力電圧は、サブＣＰＵ２３１が第１コネクタのＰｏＥ端子に印加する電圧を示し、ＰｏＥ端子入力電圧は、サブＣＰＵ２３１が検出する第１コネクタのＰｏＥ端子の電圧を示す。
【０１３６】
時刻Ｔ１までは、ＰｏＥ端子入力電圧は０であり、サブ装置用スイッチ回路２３５は開いている。時刻Ｔ１において、ユーザーがサブ操作ボタン２４３を押下すれば、ＰｏＥ端子出力電圧が０ＶからＰｏＥ電圧である−４８Ｖに変化する。ユーザーがサブ操作ボタン２４３を押下している時刻Ｔ１から時刻Ｔ２までの期間、ＰｏＥ端子出力電圧が−４８Ｖとなり、ユーザーがサブ操作ボタン２４３の押下を終了した時刻Ｔ２において、ＰｏＥ端子出力電圧が０Ｖとなる。
【０１３７】
ＰｏＥ入力電圧が、時刻Ｔ２において−４８Ｖとなり、サブ装置用スイッチ回路２３５が回路を開いた状態から回路を閉じた状態に変化する。そして、ＭＦＰ１００Ａが処理を実行しない期間が所定時間経過した時刻Ｔ３において、ＰｏＥ入力電圧が−４８Ｖから０Ｖに変化し、サブ装置用スイッチ回路２３５が回路を閉じた状態から回路を開いた状態に変化する。なお、時刻Ｔ２から時刻Ｔ３の期間において、ユーザーが、サブ操作ボタン２４３を押下したとしても、ＰｏＥ入力電圧が−４８Ｖなので、ＰｏＥ端子出力電圧は０Ｖが維持され、−４８Ｖに変化しない。
【０１３８】
図１３は、サブ電源制御処理の流れの一例を示すフローチャートである。サブ電源切換制御処理は、第２の実施の形態における電源制御装置２００Ａが備えるＣＰＵ２０１Ａが、ＣＰＵ２０１Ａが備えるＲＯＭに記憶されたが電源制御プログラムを実行することによって、ＣＰＵ２０１Ａにより実行される処理である。なお、第２の実施の形態における電源制御装置２００Ａが備えるＣＰＵ２０１Ａは、図６に示した電源制御処理を実行するとともに、図１３に示すサブ電源制御処理を、ＭＦＰ１００ＡおよびＭＦＰ１００Ｂそれぞれに対して実行する。ＣＰＵ２０１ＡがＭＦＰ１００Ａに対して実行するサブ電源制御処理と、ＣＰＵ２０１ＡがＭＦＰ１００Ｂに対して実行するサブ電源制御処理とは同じなので、ここでは、ＣＰＵ２０１ＡがＭＦＰ１００Ａに対して実行するサブ電源制御処理について説明する。
【０１３９】
図１３を参照して、ＣＰＵ２０１Ａは、ＭＦＰ１００Ａの位置情報を取得する（ステップＳ２１）。第３通信回路２２１を介してＭＦＰ１００Ａと通信し、ＭＦＰ１００Ａから位置情報を取得する。また、ユーザーが、遠隔操作または電源制御装置２００が備えるユーザーインターフェースからＭＦＰ１００Ａの位置情報を入力するようにしてもよい。
【０１４０】
次のステップＳ２２においては、ＭＦＰ１００Ａの動作モードがスリープモードか否かを判断する。第３通信回路２２１を介してＭＦＰ１００Ａと通信し、ＭＦＰ１００Ａから動作状態を取得する。ＭＦＰ１００Ａが処理を実行することなく、または、ユーザーによる操作を受け付けることなく所定時間経過すれば、スリープモードと判断する。ＭＦＰ１００Ａの動作モードがスリープモードと判断されるまで待機状態となり（ステップＳ２２でＮＯ）、スリープモードと判断されると（ステップＳ２２でＹＥＳ）、処理をステップＳ２３に進める。
【０１４１】
ステップＳ２３においては、ＭＦＰ１００Ａにスリープ切換信号を出力する。具体的には、第１サブ通信用電源スイッチ回路２２５の信号切換スイッチを開く。これにより、第３通信回路２２１のＰｏＥ端子に印加されていたＰｏＥ電圧が０になる。換言すれば、ＭＦＰ１００Ａにスリープ切換信号を出力する。
【０１４２】
次のステップＳ２４においては、第１サブ通信用電源スイッチ回路２２５の駆動電源切換スイッチを開く。これにより、電源回路２１１から第３通信回路２２１に供給されていた電力が遮断されるので、第３通信回路２２１によって消費される電力を低減することができる。
【０１４３】
次のステップＳ２５においては、起動状態信号を検出したか否かを判断する。具体的には、第３通信回路２２１のＰｏＥ端子の電圧がＰｏＥ電圧に変化したならば起動状態信号を検出する。起動状態信号を検出したならば処理をステップＳ２８に進めるが、そうでなければ処理をステップＳ２６に進める。
【０１４４】
ステップＳ２６においては、ＭＦＰ１００Ａ宛てのパケットを受信したか否かを判断する。ステップＳ２１において取得された位置情報が宛先に設定されたパケットを受信した場合に、ＭＦＰ１００Ａ宛てのパケットを受信したと判断する。ＭＦＰ１００Ａ宛てのパケットを受信したならば処理をステップＳ２７に進めるが、そうでなければ処理をステップＳ２８に進める。ステップＳ２７においては、受信されたパケットを一時記憶し、処理をステップＳ２８に進める。ＣＰＵ２０１Ａが備えるＲＡＭにパケットを記憶する。ＣＰＵ２０１Ａとは別に、ＥＥＰＲＯＭ等の半導体メモリを設け、その半導体メモリに記憶するようにしてもよい。なお、処理がステップＳ２８に進んだ後においても、ＭＦＰ１００Ａ宛てのパケットが受信される場合には、受信されるパケットのすべてをＲＡＭに記憶する。
【０１４５】
ステップＳ２８においては、起動信号を出力する。具体的には、第１サブ通信用電源スイッチ回路２２５の信号切換スイッチを閉じる。これにより、第３通信回路２２１のＰｏＥ端子にＰｏＥ電圧が印加される。
【０１４６】
次のステップＳ２９においては、第１サブ通信用電源スイッチ回路２２５の駆動電源切換スイッチを閉じる。これにより、電源回路２１１から第３通信回路２２１に電力が供給されるので、第３通信回路２２１を介してＭＦＰ１００Ａと通信可能になる。
【０１４７】
ステップＳ３０においては、ＭＦＰ１００Ａの動作モードが通常モードか否かを判断する。第３通信回路２２１を介してＭＦＰ１００Ａと通信し、ＭＦＰ１００Ａから動作状態を取得する。ＭＦＰ１００Ａから動作状態が受信されると、通常モードと判断する。ＭＦＰ１００Ａの動作モードが通常モードと判断されるまで待機状態となり（ステップＳ３０でＮＯ）、通常モードと判断されると（ステップＳ３０でＹＥＳ）、処理をステップＳ３１に進める。ステップＳ２６においてＭＦＰ１００Ａ宛てのパケットが受信されてからステップＳ３０において通常モードと判断されるまでの間に、第１通信回路２０３が受信するＭＦＰ１００Ａ宛てのパケットのすべてが、ＲＡＭに記憶される。このため、ＭＦＰ１００Ａ宛てのパケットが失われるのを防止することができる。
【０１４８】
ステップＳ３１においては、ＲＡＭにＭＦＰ１００Ａ宛てのパケットが記憶されているか否かを判断する。ＲＡＭにＭＦＰ１００Ａ宛てのパケットが記憶されているならば処理をステップＳ３２に進めるが、そうでなければ処理をステップＳ３４に進める。ステップＳ３２においては、ＲＡＭに記憶されたパケットを第３通信回路２２１を介してＭＦＰ１００Ａに送信する。これにより、ＭＦＰ１００Ａにおいてパケットが受信される。ＲＡＭに記憶されているパケットのすべての送信が完了したか否かを判断する（ステップＳ３３）。パケットの送信が完了していなければ（ステップＳ３３でＮＯ）、処理をステップＳ３２に戻し、パケットの送信が完了したならば（ステップＳ３３でＹＥＳ）、処理をステップＳ３４に進める。
【０１４９】
ステップＳ３４においては、第１通信回路２０３と第３通信回路２２１とを接続し、処理をステップＳ２２に戻す。
【０１５０】
図１４は、サブ装置用電源切換制御処理の流れの一例を示すフローチャートである。サブ装置用電源切換制御処理は、第２の実施の形態におけるサブ電源制御装置２３０，２３０Ａそれぞれが備えるサブＣＰＵ２３１が、ＣＰＵ２３１が備えるＲＯＭに記憶されたサブ装置用電源切換制御プログラムを実行することによって、サブＣＰＵ２３１により実行される処理である。なお、サブ電源制御装置２３０，２３０Ａそれぞれが備えるサブＣＰＵ２３１が実行する処理は同じなので、ここでは、サブ電源制御装置２３０が備えるサブＣＰＵ２３１が実行する処理を説明する。
【０１５１】
図１４を参照して、サブＣＰＵ２３１は、電源制御装置２００Ａから出力されるスリープ切換信号を検出したか否かを判断する(ステップＳ４１)。スリープ切換信号を検出するまで待機状態となり（ステップＳ４１でＮＯ）、スリープ切換信号を検出したならば（ステップＳ４１でＹＥＳ）、処理をステップＳ４２に進める。第１コネクタ２３３のＰｏＥ端子がＰｏＥ電圧から０に変化したならばスリープ切換信号を検出する。
【０１５２】
ステップＳ４２においては、サブ装置用スイッチ回路２３５を開く。これにより、サブ電源プラグ２４１とサブ電力出力端子２３９とが電気的に接続されていない状態となるので、ＭＦＰ１００Ａに商用電源から電力が供給されなくなり、ＭＦＰ１００Ａで消費される電力を低減することができる。
【０１５３】
ステップＳ４３においては、サブ操作ボタン２４３が押下されたか否かを判断する。サブ操作ボタン２４３が押下されたならば処理をステップＳ４４に進めるが、そうでなければステップＳ４４をスキップして処理をステップＳ４５に進める。ステップＳ４４においては、起動状態信号を出力する。具体的には、第１コネクタ２３３のＰｏＥ端子にＰｏＥ電圧を印加する。これによって、電源制御装置２００Ａにおいて、起動状態信号が検出される。
【０１５４】
ステップＳ４５においては、起動信号を検出したか否かを判断する。起動信号を検出したならば処理をステップＳ４６に進めるが、そうでなければ処理をステップＳ４３に戻す。第１コネクタ２３３のＰｏＥ端子が０からＰｏＥ電圧に変化したならば起動信号を検出する。
【０１５５】
ステップＳ４６においては、サブ装置用スイッチ回路２３５を閉じ、処理をステップＳ４１に戻す。これにより、サブ電源プラグ２４１とサブ電力出力端子２３９とが電気的に接続された状態となるので、ＭＦＰ１００Ａに商用電源から電力が供給され、ＭＦＰ１００Ａが起動する。
【０１５６】
第２の実施の形態における電源制御装置２００Ａは、第１の実施の形態における電源制御装置２００に加えて、ＭＦＰ１００Ａと接続される第３通信回路２１１と、サブ電源制御装置２３０に起動信号またはスリープ移行信号を出力する信号出力制御部２６７と、をさらに備え、サブ電源制御装置２３０は、商用電源から供給される電力を交流から直流に変換するサブ電源回路２３７と、サブ電源回路２３７から電力が供給されるサブＣＰＵ２３１と、商用電源とＭＦＰ１００Ａとの間に配置されるサブ装置用スイッチ回路２３５と、を備え、電源制御装置２００ＡのＣＰＵ２０１Ａが備えるモード決定部２５１Ａは、第３通信回路２１１を介してＭＦＰ１００Ａと通信することによってＭＦＰ１００Ａの状態を取得し、通常モードと通常モードよりも消費電力が小さい省電力モードのいずれであるかを決定する遠隔モード決定部２７１を含み、スリープ切換部２５３Ａは、遠隔モード決定部２７１によりＭＦＰ１００Ａの状態としてスリープモードが決定される場合に、信号出力制御部２６７にスリープ移行信号を出力させる遠隔スリープ切換部２７３を含み、起動部２５５Ａは、遠隔モード決定部２７１によりＭＦＰ１００Ａの状態としてスリープモードが決定された後、第１通信回路２０３によってＬＡＮ２からＭＦＰ１００Ａのネットワークアドレスを含むパケットが受信されることが検出されることに応じて、信号出力制御部２６７に起動信号を出力させる遠隔起動部２７５を含み、一時記憶制御部２６１Ａは、遠隔モード決定部２７１によりＭＦＰ１００Ａの状態としてスリープモードが決定された後、第１通信回路２０３によってＬＡＮ２から受信されるパケットのうちＭＦＰ１００Ａのネットワークアドレスを含むパケットを一時記憶する遠隔一時記憶制御部２７７を含み、パケット送信部２６３は、遠隔モード決定部２７１によってＭＦＰ１００Ａの状態として通常モードが決定されることに応じて、遠隔一時記憶制御部２７７により一時記憶されたパケットを第３通信回路２１１を介してＭＦＰ１００Ａに送信する遠隔パケット送信部２７９を含み、接続部２６５Ａは、遠隔パケット送信部２７９による送信が終了した後に、第１通信回路２０３に接続されたＬＡＮ２を第３通信回路２２１に接続する遠隔接続部２８１を含み、サブＣＰＵ２３１は、電源制御装置２００Ａから出力されるスリープ移行信号が検出されることに応じてサブ装置用スイッチ回路２３５を開き、電源制御装置２００Ａから出力される起動信号が検出されることに応じてサブ装置用スイッチ回路２３５を閉じる電源切換制御部２９１を含む。
【０１５７】
このため、ＭＦＰ１００Ａの消費電力を低減することができる。また、ＭＦＰ１００Ａの動作モードがスリープモードに決定された後、ＬＡＮ２からＭＦＰ１００Ａのネットワークアドレスを含むパケットが受信されることに応じて、サブ電源制御装置２３０に起動信号が出力され、サブ電源制御装置２３０は、起動信号が検出されることに応じてサブ装置用スイッチ回路２３５を閉じるので、ＭＦＰ１００Ａを起動することができる。さらに、ＭＦＰ１００Ａの動作モードがスリープモードに決定された後、ＬＡＮ２から受信されるパケットのうちＭＦＰ１００Ａのネットワークアドレスを含むパケットを一時記憶し、通常モードが決定されることに応じて、一時記憶されたパケットを送信し、送信が終了した後に、ＬＡＮ２を第３通信回路２２１に接続する。このため、ＭＦＰ１００Ａに送信されるパケットをＭＦＰ１００Ａによって確実に受信させることができる。その結果、ＭＦＰ１００Ａの消費電力を低減するとともにＭＦＰ１００Ａに確実にパケットを受信させることができる。
【０１５８】
また、電源制御装置２００Ａは、第３通信回路２２１と電源回路２１１との間に設けられる第１サブ通信用電源スイッチ回路２２５を、さらに備え、遠隔モード決定部２７１は、第１サブ通信用電源スイッチ回路２２５が閉じている間に第３通信回路２２１を介してＭＦＰ１００Ａと通信することによってＭＦＰ１００Ａの状態を取得し、遠隔スリープ切換部２７３は、遠隔モード決定部２７１によりＭＦＰ１００Ａの状態としてスリープモードが決定される場合に、信号出力制御部２６７にスリープ移行信号を出力させるとともに、第１サブ通信用電源スイッチ回路２２５を開き、遠隔起動部２７５は、遠隔モード決定部２７１によりＭＦＰ１００Ａの状態としてスリープモードが決定された後、第１通信回路２０３によってＬＡＮ２からＭＦＰ１００Ａのネットワークアドレスを含むパケットが受信されることに応じて、信号出力制御部２６７に起動信号を出力させるとともに、第１サブ通信用電源スイッチ回路２２５を閉じる。このため、ＭＦＰ１００Ａと通信するために消費される電力を低減することができる。
【０１５９】
また、サブ電源制御装置２３０は、第３通信回路２２１が備えるＰｏＥ端子の電圧を検出するサブ電圧検出部２９９を、さらに備え、信号出力制御部２６７は、第３通信回路２２１が備えるＰｏＥ端子に印加する電圧をＰｏＥ電圧（−４８Ｖ）に変更することによって起動信号を出力し、第３通信回路２２１えるＰｏＥ端子に印加する電圧をＰｏＥ電圧（−４８Ｖ）からＰｏＥ電圧とは異なる電圧（０Ｖ）に変更することによってスリープ移行信号を出力し、サブ制御手段は、サブ電圧検出部２９９によって検出される電圧がＰｏＥ電圧（−４８Ｖ）に変化することに応じて起動信号を検出する起動信号検出部２９５と、サブ電圧検出部２９９によって検出される電圧がＰｏＥ電圧（−４８Ｖ）からＰｏＥ電圧と異なる電圧（０Ｖ）に変化することに応じてスリープ移行信号を検出するスリープ移行信号検出部２９３と、を含む。
【０１６０】
このため、電源制御装置２００ＡとＭＦＰ１００Ａとを接続する通信ケーブルを用いて、電源制御装置２００Ａとサブ電源制御装置２３０との間で信号を送受信することができ、電源制御装置とサブ電源制御装置とを接続する配線を少なくすることができる。
【０１６１】
また、電源制御装置２００Ａは、サブ電源制御装置２３０から出力される起動状態信号を検出する起動状態信号検出部２６９を、さらに備え、サブ電源制御装置２３０は、ユーザーによる操作を受け付けるサブ操作スイッチ２４３を、さらに備え、サブＣＰＵ２３１は、サブ操作スイッチ２４３がユーザーにより押下されることに応じて、電源制御装置２００Ａに起動状態信号を出力するとともに、第１サブ通信用電源スイッチ回路２２５を閉じる操作時起動部２９７を含み、遠隔接続部２８１は、遠隔モード決定部２７１によってＭＦＰ１００Ａの状態としてスリープモードが決定された後、起動状態信号検出２６９により起動状態信号が検出されることに応じて、第１通信回路２０３に接続されたＬＡＮ２を第３通信回路２２１に接続する。
【０１６２】
このため、サブ電源制御装置２３０は、ユーザーによる操作が受け付けられると、電源制御装置２００Ａに起動状態信号を出力するとともに、第１サブ通信用電源スイッチ回路２２５を閉じるので、ＭＦＰ１００Ａが起動する。また、電源制御装置２００Ａは、サブ電源制御装置２３０から出力される起動状態信号を検出すると、ＬＡＮ２をＭＦＰ１００Ａに接続する。このため、サブ電源制御装置２３０に入力されるユーザーの操作によってＭＦＰ１００Ａを通信可能な状態にすることができる。
【０１６３】
また、電源制御装置２００Ａは、第３通信回路２２１と第１サブ通信用電源スイッチ回路２２５との間に設けられ、第３通信回路２２１が備えるＰｏＥ端子の電圧を検出する電圧センサー２２３を、さらに備え、操作時起動部２９７は、第３通信回路２２１が備えるＰｏＥ端子に印加する電圧をＰｏＥ電圧（−４８）に変更することによって起動状態信号を出力し、起動状態信号検出部２６９は、電圧センサー２２３によって検出される電圧がＰｏＥ電圧（−４８Ｖ）に変化することに応じて起動状態信号を検出する。
【０１６４】
このため、サブ電源制御装置２３０において、ＭＦＰ１００Ａと接続されるＰｏＥ端子の電圧を変化させることにより起動状態信号が出力され、電源制御装置２００Ａにおいて、ＭＦＰ１００Ａと接続されるＰｏＥ端子の電圧の変化を検出することによって起動状態信号が検出される。したがって、電源制御装置２００ＡとＭＦＰ１００Ａとを接続する通信ケーブルを用いて、電源制御装置２００Ａとサブ電源制御装置２３０との間で信号を送受信することができ、電源制御装置２００Ａとサブ電源制御装置２３０とを接続する配線を少なくすることができる。
【０１６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６６】
１  電源制御システム、１００，１００Ａ，１００Ｂ  ＭＦＰ、２００，２００Ａ  電源制御装置、２３０，２３０Ａ  サブ電源制御装置、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１１８  ＣＤ−ＲＯＭ、１２０  自動原稿搬送装置、１３０  原稿読取部、１４０  画像形成部、１５０  給紙部、１５５  後処理部、１６０  操作パネル、１６１  表示部、１６３  操作部、１７０  電源回路、１７１，１７１Ａ  電源プラグ、２０１，２０１Ａ  ＣＰＵ、２０３  第１通信回路、２０５  第２通信回路、２０７  第１スイッチ回路、２０９  第２スイッチ回路、２１１  電源回路、２１３  操作ボタン、２１５  電力出力端子、２１７  電源プラグ、２２１  第２通信回路、２２１Ａ  第４通信回路、２２３  第１電圧センサー、２２３Ａ  第２電圧センサー、２２５  第１サブ通信用電源スイッチ回路、２２５Ａ  第２サブ通信用電源スイッチ回路、２２７  ハブコントローラ、２３１  サブ電源回路、２３３  第１コネクタ、２３４  第２コネクタ、２３５  サブ装置用スイッチ回路、２３７  サブ電源回路、２３９  サブ電力出力端子、２４１  サブ電源プラグ、２４３  サブ操作ボタン、２５１，２５１Ａ  モード決定部、２５３，２５３Ａ  スリープ切換部、２５５，２５５Ａ  起動部、２５７  操作受付部、２５９，２５９Ａ  位置情報取得部、２６１，２６１Ａ  一時記憶制御部、２６３，２６３Ａ  パケット送信部、２６５，２６５Ａ  接続部、２６７  信号出力制御部、２６９  起動状態信号検出部、２７１  遠隔モード決定部、２７３  遠隔スリープ切換部、２７５  遠隔起動部、２７７  遠隔一時記憶制御部、２７９  遠隔パケット送信部、２８１  遠隔接続部、２９１  電源切換制御部、２９３  スリープ移行信号検出部、２９５  起動信号検出部、２９７  操作時起動部、２９９  サブ電圧検出部、３０１  サブ操作受付部。
【図１】
2014140116.tif 000003
【図２】
2014140116.tif 000004
【図３】
2014140116.tif 000005
【図４】
2014140116.tif 000006
【図５】
2014140116.tif 000007
【図６】
2014140116.tif 000008
【図７】
2014140116.tif 000009
【図８】
2014140116.tif 000010
【図９】
2014140116.tif 000011
【図１０】
2014140116.tif 000012
【図１１】
2014140116.tif 000013
【図１２】
2014140116.tif 000014
【図１３】
2014140116.tif 000015
【図１４】
2014140116.tif 000016